(57)【特許請求の範囲】
【請求項１】
マルチメディアブロードキャスト単一周波数ネットワークベースバックホールリンクを介して中継器を動作させることを可能にする方法であって、
サブフレーム内で制御リソースの第１のセットと制御リソースの第２のセットとを割り振ることと、ここで、制御リソースの前記第１のセットがレガシー制御領域内にあり、制御リソースの前記第２のセットが非レガシー制御領域内にある、
連結されたリソースのセットを形成するために制御リソースの第１の部分を制御リソースの第２の部分と連結することであって、制御リソースの前記第１の部分が制御リソースの前記第１のセットに関連し、制御リソースの前記第２の部分が制御リソースの前記第２のセットに関連する、連結することと、
連結されたリソースの前記セットのサブセットを使用して少なくとも１つの制御信号を送信することと
を備える方法。
【請求項２】
前記レガシー制御領域を時分割多重フォーマットで与えることをさらに備える、請求項１に記載の方法。
【請求項３】
前記レガシー制御領域が、最高２つの直交周波数分割多重シンボルを含む、請求項２に記載の方法。
【請求項４】
前記非レガシー制御領域を時分割多重フォーマットで与えることをさらに備える、請求項１に記載の方法。
【請求項５】
前記非レガシー制御領域を周波数分割多重フォーマットで与えることをさらに備える、請求項１に記載の方法。
【請求項６】
前記非レガシー制御領域を、周波数分割多重フォーマットと時分割多重フォーマットとを組み合わせたフォーマットで与えることをさらに備える、請求項１に記載の方法。
【請求項７】
前記少なくとも１つの制御信号が物理ハイブリッド自動再送要求インジケータチャネルである、請求項１に記載の方法。
【請求項８】
実際の物理アップリンク共有チャネル送信の最低物理リソースブロックに基づいて、連結されたリソースの前記セットの前記サブセット内で、前記実際の物理アップリンク共有チャネル送信のためのハイブリッド自動再送要求リソースを確認することをさらに備える、請求項７に記載の方法。
【請求項９】
前記少なくとも１つの制御信号が物理ダウンリンク制御チャネルである、請求項１に記載の方法。
【請求項１０】
非レガシーユーザ機器に関連するアグリゲーションレベルのための連結されたリソースの前記セットの前記サブセット内で物理ダウンリンク制御チャネル復号候補のセットを確認することをさらに備え、前記連結することが前記アグリゲーションレベルに基づく、請求項９に記載の方法。
【請求項１１】
非レガシーユーザに関連する物理ダウンリンク共有チャネル送信のための連結されたリソースの前記セットの前記サブセットに基づいて、ハイブリッド自動再送要求リソースを確認することをさらに備える、請求項１に記載の方法。
【請求項１２】
前記送信することが、第１の制御信号と第２の制御信号とを通信することを含み、前記第１の制御信号が少なくとも制御リソースの前記第１のセットを含み、前記第２の制御信号が制御リソースの前記第１のセットと制御リソースの前記第２のセットとを含む、請求項１に記載の方法。
【請求項１３】
前記第１の制御信号から制御リソースの前記第２のセットを除外することと、前記第１の制御信号をレガシーユーザ機器に通信することをさらに備える、請求項１２に記載の方法。
【請求項１４】
前記第２の制御信号を非レガシーユーザ機器に通信することをさらに備える、請求項１２に記載の方法。
【請求項１５】
前記第２の制御信号を中継ノードに通信することをさらに備える、請求項１２に記載の方法。
【請求項１６】
マルチメディアブロードキャスト単一周波数ネットワークベースバックホールリンクを介して中継器を動作させることを可能にするように構成された装置であって、
メモリに記憶されたコンピュータ実行可能構成要素を実行するように構成されたプロセッサを備え、前記構成要素が、
サブフレーム内で制御リソースの第１のセットと制御リソースの第２のセットとを割り振るように構成された割振り構成要素と、ここで、制御リソースの前記第１のセットがレガシー制御領域内にあり、制御リソースの前記第２のセットが非レガシー制御領域内にある、
連結されたリソースのセットを形成するために制御リソースの第１の部分を制御リソースの第２の部分と連結するように構成された連結構成要素であって、制御リソースの前記第１の部分が制御リソースの前記第１のセットに関連し、制御リソースの前記第２の部分が制御リソースの前記第２のセットに関連する、連結構成要素と、
少なくとも１つの制御信号を発生するように構成された発生構成要素であって、前記少なくとも１つの制御信号が、連結されたリソースの前記セットのサブセットを含む、発生構成要素と、
前記少なくとも１つの制御信号をダイレクトリンクユーザ機器または中継ノードのうちの少なくとも１つに通信するように構成された通信構成要素と
を備える、装置。
【請求項１７】
前記通信構成要素が、前記レガシー制御領域を時分割多重フォーマットで与えるように構成された、請求項１６に記載の装置。
【請求項１８】
前記レガシー制御領域が、最高２つの直交周波数分割多重シンボルを含む、請求項１７に記載の装置。
【請求項１９】
前記通信構成要素が、前記非レガシー制御領域を時分割多重フォーマットで与えるように構成された、請求項１６に記載の装置。
【請求項２０】
前記通信構成要素が、前記非レガシー制御領域を周波数分割多重フォーマットで与えるように構成された、請求項１６に記載の装置。
【請求項２１】
前記通信構成要素が、前記非レガシー制御領域を、周波数分割多重フォーマットと時分割多重フォーマットとを組み合わせたフォーマットで与えるように構成された、請求項１６に記載の装置。
【請求項２２】
前記少なくとも１つの制御信号が物理ハイブリッド自動再送要求インジケータチャネルである、請求項１６に記載の装置。
【請求項２３】
前記連結構成要素が、実際の物理アップリンク共有チャネル送信の最低物理リソースブロックに基づいて、連結されたリソースの前記セットの前記サブセット内で、前記実際の物理アップリンク共有チャネル送信のためのハイブリッド自動再送要求リソースを確認するようにさらに構成された、請求項２２に記載の装置。
【請求項２４】
前記少なくとも１つの制御信号が物理ダウンリンク制御チャネルである、請求項１６に記載の装置。
【請求項２５】
前記連結構成要素が、非レガシーユーザ機器に関連するアグリゲーションレベルのための連結されたリソースの前記セットの前記サブセット内で、物理ダウンリンク制御チャネル復号候補のセットを確認するようにさらに構成され、前記連結が前記アグリゲーションレベルに基づく、請求項２４に記載の装置。
【請求項２６】
前記連結構成要素が、非レガシーユーザに関連する物理ダウンリンク共有チャネル送信のための連結されたリソースの前記セットの前記サブセットに基づいて、ハイブリッド自動再送要求リソースを確認するようにさらに構成された、請求項１６に記載の装置。
【請求項２７】
前記通信構成要素が、第１の制御信号と第２の制御信号とを送信するようにさらに構成され、前記第１の制御信号が少なくとも制御リソースの前記第１のセットを含み、前記第２の制御信号が制御リソースの前記第１のセットと制御リソースの前記第２のセットとを含む、請求項１６に記載の装置。
【請求項２８】
前記発生構成要素が、前記第１の制御信号から制御リソースの前記第２のセットを除外するように構成され、前記通信構成要素が、前記第１の制御信号をレガシーユーザ機器に与えるように構成された、請求項２７に記載の装置。
【請求項２９】
前記通信構成要素が、前記第２の制御信号を非レガシーユーザ機器に送信するように構成された、請求項２７に記載の装置。
【請求項３０】
前記通信構成要素が、前記第２の制御信号を前記中継ノードに送信するように構成された、請求項２７に記載の装置。
【請求項３１】
マルチメディアブロードキャスト単一周波数ネットワークベースバックホールリンクを介して中継器を動作させることを可能にするコードを備えたコンピュータ可読記憶媒体であって、少なくとも１つのコンピュータに、
サブフレーム内で制御リソースの第１のセットと制御リソースの第２のセットとを割り振ることと、ここで、制御リソースの前記第１のセットがレガシー制御領域内にあり、制御リソースの前記第２のセットが非レガシー制御領域内にある、
連結されたリソースのセットを形成するために制御リソースの第１の部分と制御リソースの第２の部分との連結を実行することであって、制御リソースの前記第１の部分が制御リソースの前記第１のセットに関連し、制御リソースの前記第２の部分が制御リソースの前記第２のセットに関連する、実行することと、
連結されたリソースの前記セットのサブセットを使用して少なくとも１つの制御信号を通信することと、
を行わせるためのコードを備えたコンピュータ可読記憶媒体。
【請求項３２】
前記少なくとも１つの制御信号が物理ハイブリッド自動再送要求インジケータチャネルである、請求項３１に記載のコードを備えたコンピュータ可読記憶媒体。
【請求項３３】
前記コードが、前記少なくとも１つのコンピュータに、実際の物理アップリンク共有チャネル送信の最低物理リソースブロックに基づいて、連結されたリソースの前記セットの前記サブセット内で、前記実際の物理アップリンク共有チャネル送信のためのハイブリッド自動再送要求リソースを確認することをさらに行わせる、請求項３２に記載のコードを備えたコンピュータ可読記憶媒体。
【請求項３４】
前記少なくとも１つの制御信号が物理ダウンリンク制御チャネルである、請求項３１に記載のコードを備えたコンピュータ可読記憶媒体。
【請求項３５】
前記コードが、前記少なくとも１つのコンピュータに、非レガシーユーザ機器に関連するアグリゲーションレベルのための連結されたリソースの前記セットの前記サブセット内で、物理ダウンリンク制御チャネル復号候補のセットを確認することをさらに行わせ、前記連結が前記アグリゲーションレベルに基づく、請求項３４に記載のコードを備えたコンピュータ可読記憶媒体。
【請求項３６】
マルチメディアブロードキャスト単一周波数ネットワークベースバックホールリンクを介して中継器を動作させることを可能にするように構成された装置であって、
サブフレーム内で制御リソースの第１のセットと制御リソースの第２のセットとを割り振るための手段と、ここで、制御リソースの前記第１のセットがレガシー制御領域内にあり、制御リソースの前記第２のセットが非レガシー制御領域内にある、
連結されたリソースのセットを形成するために制御リソースの第１の部分を制御リソースの第２の部分と連結するための手段であって、制御リソースの前記第１の部分が制御リソースの前記第１のセットに関連し、制御リソースの前記第２の部分が制御リソースの前記第２のセットに関連する、連結するための手段と、
連結されたリソースの前記セットのサブセットを使用して少なくとも１つの制御信号を送信するための手段と
を備える装置。
【請求項３７】
送信するための前記手段が、第１の制御信号と第２の制御信号とを通信することを含み、前記第１の制御信号が少なくとも制御リソースの前記第１のセットを含み、前記第２の制御信号が制御リソースの前記第１のセットと制御リソースの前記第２のセットとを含む、請求項３６に記載の装置。
【請求項３８】
制御リソースの前記第２のセットが前記第１の制御信号から除外され、前記第１の制御信号がレガシーユーザ機器に通信される、請求項３７に記載の装置。
【請求項３９】
マルチメディアブロードキャスト単一周波数ネットワークベースバックホールリンクを介して中継器を動作させることを可能にする方法であって、
サブフレーム内で、物理ハイブリッド自動再送要求インジケータチャネルに関連する制御リソースの第１のセットと制御リソースの第２のセットとを割り振ることと、ここで、制御リソースの前記第１のセットがレガシー制御領域内にあり、制御リソースの前記第２のセットが非レガシー制御領域内にある、
制御リソースの前記第１のセットに関連する第１の割振りサイズと、制御リソースの前記第２のセットに関連する第２の割振りサイズとの指示を可能にする指示方式を実装することと、
前記指示方式に従って少なくとも１つの制御信号を送信することと
を備える方法。
【請求項４０】
前記第１の割振りサイズを示すことを可能にするために物理ブロードキャストチャネル中にビットの新しいセットを導入することをさらに備える、請求項３９に記載の方法。
【請求項４１】
前記指示方式が、物理ブロードキャストチャネルを介して前記第１の割振りサイズを示すことを備え、前記第２の割振りサイズが前記少なくとも１つの制御信号中にハードコーディングされる、請求項３９に記載の方法。
【請求項４２】
前記第１の割振りサイズが前記第２の割振りサイズに等しく、前記送信することが、前記物理ブロードキャストチャネルを介して前記指示を通信することを備える、請求項３９に記載の方法。
【請求項４３】
前記指示方式が、レイヤ３構成を介して前記第１の割振りサイズまたは前記第２の割振りサイズのうちの少なくとも１つを通信することを備える、請求項３９に記載の方法。
【請求項４４】
前記レガシー制御領域を時分割多重フォーマットで与えることをさらに備える、請求項３９に記載の方法。
【請求項４５】
前記非レガシー制御領域を時分割多重フォーマットで与えることをさらに備える、請求項３９に記載の方法。
【請求項４６】
前記非レガシー制御領域を周波数分割多重フォーマットで与えることをさらに備える、請求項３９に記載の方法。
【請求項４７】
前記非レガシー制御領域を、周波数分割多重フォーマットと時分割多重フォーマットとを組み合わせたフォーマットで与えることをさらに備える、請求項３９に記載の方法。
【請求項４８】
前記送信することが、第１の制御信号と第２の制御信号とを通信することを含み、前記第１の制御信号が少なくとも制御リソースの前記第１のセットを含み、前記第２の制御信号が制御リソースの前記第１のセットと制御リソースの前記第２のセットとを含む、請求項３９に記載の方法。
【請求項４９】
前記第１の制御信号から制御リソースの前記第２のセットを除外することをさらに備え、前記第１の制御信号がレガシーユーザ機器に通信される、請求項４８に記載の方法。
【請求項５０】
前記第２の制御信号が非レガシーユーザ機器に通信される、請求項４８に記載の方法。
【請求項５１】
前記第２の制御信号が中継ノードに通信される、請求項４８に記載の方法。
【請求項５２】
マルチメディアブロードキャスト単一周波数ネットワークベースバックホールリンクを介して中継器を動作させることを可能にするように構成された装置であって、
メモリに記憶されたコンピュータ実行可能構成要素を実行するように構成されたプロセッサを備え、前記構成要素が、
サブフレーム内で、物理ハイブリッド自動再送要求インジケータチャネルに関連する制御リソースの第１のセットと制御リソースの第２のセットとを割り振るように構成された割振り構成要素と、ここで、制御リソースの前記第１のセットがレガシー制御領域内にあり、制御リソースの前記第２のセットが非レガシー制御領域内にある、
制御リソースの前記第１のセットに関連する第１の割振りサイズと、制御リソースの前記第２のセットに関連する第２の割振りサイズとの指示を与えるように構成されたインジケータ構成要素と、
少なくとも１つの制御信号を発生するように構成された発生構成要素であって、前記少なくとも１つの制御信号が前記指示を含む、発生構成要素と、
前記少なくとも１つの制御信号を送信するように構成された通信構成要素と
を備える、装置。
【請求項５３】
前記インジケータ構成要素が、前記第１の割振りサイズを示す、物理ブロードキャストチャネル中にビットの新しいセットを導入するようにさらに構成された、請求項５２に記載の装置。
【請求項５４】
前記インジケータ構成要素が、物理ブロードキャストチャネルを介して前記第１の割振りサイズを示し、前記第２の割振りサイズを前記少なくとも１つの制御信号中にハードコーディングするようにさらに構成された、請求項５２に記載の装置。
【請求項５５】
前記インジケータ構成要素が、前記第１の割振りサイズを前記第２の割振りサイズに等しくするようにさらに構成され、前記指示が、物理ブロードキャストチャネルを介して通信される、請求項５２に記載の装置。
【請求項５６】
前記インジケータ構成要素が、レイヤ３構成を介して前記第１の割振りサイズまたは前記第２の割振りサイズのうちの少なくとも１つを通信するようにさらに構成された、請求項５２に記載の装置。
【請求項５７】
前記通信構成要素が、前記レガシー制御領域を時分割多重フォーマットで与えるように構成された、請求項５２に記載の装置。
【請求項５８】
前記通信構成要素が、前記非レガシー制御領域を時分割多重フォーマットで与えるように構成された、請求項５２に記載の装置。
【請求項５９】
前記通信構成要素が、前記非レガシー制御領域を周波数分割多重フォーマットで与えるように構成された、請求項５２に記載の装置。
【請求項６０】
前記通信構成要素が、前記非レガシー制御領域を、周波数分割多重フォーマットと時分割多重フォーマットとを組み合わせたフォーマットで与えるように構成された、請求項５２に記載の装置。
【請求項６１】
前記通信構成要素が、第１の制御信号と第２の制御信号とを送信するようにさらに構成され、前記第１の制御信号が少なくとも制御リソースの前記第１のセットを含み、前記第２の制御信号が制御リソースの前記第１のセットと制御リソースの前記第２のセットとを含む、請求項５２に記載の装置。
【請求項６２】
前記発生構成要素が、前記第１の制御信号から制御リソースの前記第２のセットを除外するように構成され、前記通信構成要素が、前記第１の制御信号をレガシーユーザ機器に与えるように構成された、請求項６１に記載の装置。
【請求項６３】
前記通信構成要素が、前記第２の制御信号を非レガシーユーザ機器に与えるように構成された、請求項６１に記載の装置。
【請求項６４】
前記通信構成要素が、前記第２の制御信号を前記中継ノードに与えるように構成された、請求項６１に記載の装置。
【請求項６５】
マルチメディアブロードキャスト単一周波数ネットワークベースバックホールリンクを介して中継器を動作させることを可能にするコードを備えたコンピュータ可読記憶媒体であって、少なくとも１つのコンピュータに、
サブフレーム内で、物理ハイブリッド自動再送要求インジケータチャネルに関連する制御リソースの第１のセットと制御リソースの第２のセットとを割り振ることと、ここで、制御リソースの前記第１のセットがレガシー制御領域内にあり、制御リソースの前記第２のセットが非レガシー制御領域内にある、
制御リソースの前記第１のセットに関連する第１の割振りサイズと、制御リソースの前記第２のセットに関連する第２の割振りサイズとの指示を与えることと、
少なくとも１つの制御信号を送信することであって、前記少なくとも１つの制御信号が前記指示を含む、送信することと
を行わせるためのコードを備えたコンピュータ可読記憶媒体。
【請求項６６】
前記コードが、前記少なくとも１つのコンピュータに、前記第１の割振りサイズを示すことを可能にするために物理ブロードキャストチャネル中にビットの新しいセットを導入することをさらに行わせる、請求項６５に記載のコードを備えたコンピュータ可読記憶媒体。
【請求項６７】
前記コードが、前記少なくとも１つのコンピュータに、物理ブロードキャストチャネルを介して前記第１の割振りサイズを示し、前記第２の割振りサイズを前記少なくとも１つの制御信号中にハードコーディングすることをさらに行わせる、請求項６５に記載のコードを備えたコンピュータ可読記憶媒体。
【請求項６８】
マルチメディアブロードキャスト単一周波数ネットワークベースバックホールリンクを介して中継器を動作させることを可能にするように構成された装置であって、
サブフレーム内で、物理ハイブリッド自動再送要求インジケータチャネルに関連する制御リソースの第１のセットと制御リソースの第２のセットとを割り振るための手段と、ここで、制御リソースの前記第１のセットがレガシー制御領域内にあり、制御リソースの前記第２のセットが非レガシー制御領域内にある、
制御リソースの前記第１のセットに関連する第１の割振りサイズと、制御リソースの前記第２のセットに関連する第２の割振りサイズとの指示を与えるための手段と、
少なくとも１つの制御信号を通信するための手段であって、前記少なくとも１つの制御信号が前記指示を含む、通信するための手段と
を備える装置。
【請求項６９】
前記指示を与えるための前記手段が、前記第１の割振りサイズを前記第２の割振りサイズに等しくするようにさらに構成され、前記指示が、物理ブロードキャストチャネルを介して通信される、請求項６８に記載の装置。
【請求項７０】
前記指示を与えるための前記手段が、レイヤ３構成を介して前記第１の割振りサイズまたは前記第２の割振りサイズのうちの少なくとも１つを通信するようにさらに構成された、請求項６８に記載の装置。
【請求項７１】
制御信号を復号することを可能にする方法であって、
復号方式を実装するようにユーザ機器を構成することと、
制御シンボルのセットを受信することであって、制御シンボルの前記セットが、制御リソースの第１のセットまたは制御リソースの第２のセットのうちの少なくとも１つを含む、受信することと、ここで、制御リソースの前記第１のセットがレガシー制御領域内にあり、制御リソースの前記第２のセットが非レガシー制御領域内にある、
連結または指示のうちの少なくとも１つを復号するために前記復号方式を実行することであって、前記連結が、サブフレーム内で、制御リソースの第１の部分を制御リソースの第２の部分と連結し、制御リソースの前記第１のセットが制御リソースの前記第１の部分に関連し、制御リソースの前記第２の部分が制御リソースの前記第２のセットに関連し、前記指示が、制御リソースの前記第１のセットに関連する第１の割振りサイズと、制御リソースの前記第２のセットに関連する第２の割振りサイズとを示す、実行することとを備える方法。
【請求項７２】
物理ブロードキャストチャネル中の新たに導入されたビットのセットを介して前記第２の割振りサイズを復号することをさらに備え、前記第２の割振りサイズが非レガシーユーザ機器に関連する、請求項７１に記載の方法。
【請求項７３】
制御シンボルの前記セットが物理ハイブリッド自動再送要求インジケータチャネルに関連する、請求項７１に記載の方法。
【請求項７４】
制御シンボルの前記セットが物理ダウンリンク制御チャネルに関連する、請求項７１に記載の方法。
【請求項７５】
制御信号を復号することを可能にするように構成された装置であって、
メモリに記憶されたコンピュータ実行可能構成要素を実行するように構成されたプロセッサを備え、前記構成要素が、
復号方式を実装するようにユーザ機器を初期化するように構成された構成要素と、
制御シンボルのセットを受信するように構成された通信構成要素であって、制御シンボルの前記セットが、制御リソースの第１のセットまたは制御リソースの第２のセットのうちの少なくとも１つを含む、通信構成要素と、ここで、制御リソースの前記第１のセットがレガシー制御領域内にあり、制御リソースの前記第２のセットが非レガシー制御領域内にある、
前記復号方式に基づいて連結または指示のうちの少なくとも１つを確認するように構成された復号構成要素であって、前記連結が、サブフレーム内で、制御リソースの第１の部分を制御リソースの第２の部分と連結し、制御リソースの前記第１のセットが制御リソースの前記第１の部分に関連し、制御リソースの前記第２の部分が制御リソースの前記第２のセットに関連し、前記指示が、制御リソースの前記第１のセットに関連する第１の割振りサイズと、制御リソースの前記第２のセットに関連する第２の割振りサイズとを示す、復号構成要素と
を備える、装置。
【請求項７６】
前記復号構成要素が、物理ブロードキャストチャネル中の新たに導入されたビットのセットを介して前記第２の割振りサイズを確認するように構成され、前記第２の割振りサイズが非レガシーユーザ機器に関連する、請求項７５に記載の装置。
【請求項７７】
制御シンボルの前記セットが物理ハイブリッド自動再送要求インジケータチャネルに関連する、請求項７５に記載の装置。
【請求項７８】
制御シンボルの前記セットが物理ダウンリンク制御チャネルに関連する、請求項７５に記載の装置。
【請求項７９】
制御信号を復号することを可能にするコードを備えたコンピュータ可読記憶媒体であって、少なくとも１つのコンピュータに、
復号方式を実装するようにユーザ機器を構成することと、
制御シンボルのセットを受信することであって、制御シンボルの前記セットが、制御リソースの第１のセットまたは制御リソースの第２のセットのうちの少なくとも１つを含む、受信することと、ここで、制御リソースの前記第１のセットがレガシー制御領域内にあり、制御リソースの前記第２のセットが非レガシー制御領域内にある、
前記復号方式に基づいて連結または指示のうちの少なくとも１つを確認することであって、前記連結が、制御リソースの第１の部分を制御リソースの第２の部分と連結し、制御リソースの前記第１のセットが制御リソースの前記第１の部分に関連し、制御リソースの前記第２の部分が制御リソースの前記第２のセットに関連し、前記指示が、制御リソースの前記第１のセットに関連する第１の割振りサイズと、制御リソースの前記第２のセットに関連する第２の割振りサイズとを示す、確認することと
を行わせるためのコードを備えたコンピュータ可読記憶媒体。
【請求項８０】
前記コードが、前記少なくとも１つのコンピュータに、物理ブロードキャストチャネル中の新たに導入されたビットのセットを介して前記第２の割振りサイズを確認することをさらに行わせ、前記第２の割振りサイズが非レガシーユーザ機器に関連する、請求項７９に記載のコードを備えたコンピュータ可読記憶媒体。
【請求項８１】
制御シンボルの前記セットが物理ハイブリッド自動再送要求インジケータチャネルに関連する、請求項７９に記載のコードを備えたコンピュータ可読記憶媒体。
【請求項８２】
制御信号を復号することを可能にするように構成された装置であって、
復号方式を実装するようにユーザ機器を構成するための手段と、
制御シンボルのセットを受信するための手段であって、制御シンボルの前記セットが、制御リソースの第１のセットまたは制御リソースの第２のセットのうちの少なくとも１つを含む、受信するための手段と、ここで、制御リソースの前記第１のセットがレガシー制御領域内にあり、制御リソースの前記第２のセットが非レガシー制御領域内にある、
前記復号方式に従って連結または指示のうちの少なくとも１つを判断するための手段であって、前記連結が、サブフレーム内で、制御リソースの第１の部分を制御リソースの第２の部分と連結し、制御リソースの前記第１のセットが制御リソースの前記第１の部分に関連し、制御リソースの前記第２の部分が制御リソースの前記第２のセットに関連し、前記指示が、制御リソースの前記第１のセットに関連する第１の割振りサイズと、制御リソースの前記第２のセットに関連する第２の割振りサイズとを示す、判断するための手段と
を備える装置。
【請求項８３】
制御シンボルの前記セットが物理ダウンリンク制御チャネルに関連する、請求項８２に記載の装置。
【発明の詳細な説明】
【技術分野】
【０００１】
関連出願の相互参照
本出願は、２００９年５月２７日に出願された「Enhanced MBSFN Based Backhaul Link for Relaying Operation in LTE-A」と題する、米国仮特許出願第６１／１８１，５８７号の利益を主張する。上述の出願は、その全体が参照により本明細書に組み込まれる。
【０００２】
以下の説明は、一般にワイヤレス通信に関し、より詳細には、マルチメディアブロードキャスト単一周波数ネットワークベースバックホールリンクを介して中継器を動作させることを可能にする方法および装置に関する。
【背景技術】
【０００３】
ワイヤレス通信システムは、ボイス、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【０００５】
ＭＩＭＯシステムは、データ送信用の複数（ＮT）個の送信アンテナおよび複数（ＮR）個の受信アンテナを使用する。ＮT個の送信アンテナとＮR個の受信アンテナとよって形成されるＭＩＭＯチャネルは、空間チャネルと呼ばれることもあるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０００６】
ＭＩＭＯシステムは時分割複信（ＴＤＤ）および周波数分割複信（ＦＤＤ）システムをサポートする。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を取り出すことが可能になる。
【０００７】
ＬＴＥ−Ａｄｖａｎｃｅｄ（ＬＴＥ−Ａ）システムに関して、ＬＴＥ−Ａ中継器のための経済的に魅力的なオプションは、各周波数帯域上で、アクセスおよびバックホールリンクのための送信（Ｔｘ）と受信（Ｒｘ）との間で切り替える、インバンド（in-band）半二重中継器であることに留意されたい。マルチメディアブロードキャストシングル周波数ネットワーク（ＭＢＳＦＮ）サブフレームは、中継器が、ダウンリンク上の第１および場合によっては第２の直交周波数分割多重（ＯＦＤＭ）シンボル上で、共通基準信号と制御信号（たとえば、アップリンクデータ用のＰＣＦＩＣＨ（物理制御フォーマットインジケータチャネル）、ＰＨＩＣＨ（物理ハイブリッド自動再送要求インジケータチャネル）、および／またはＰＤＣＣＨ（物理ダウンリンク制御チャネル）許可（レガシーＵＥと非レガシーＵＥの両方）、ならびにダウンリンクデータ用のＰＤＣＣＨ許可（非レガシーＵＥ））を送信し、次いで、サブフレームの残りのためのドナーセル送信を受信するように切り替える、中継器半二重ダウンリンク動作を可能にする。ただし、マクロ／中継セル環境内でそのような中継器を動作させることは、いくつかの潜在的な問題をもたらす。たとえば、そのような環境内で、ユーザ機器が、レガシーユーザ機器を対象とする制御シンボルを、非レガシーユーザ機器を対象とする制御シンボルと区別することは困難であることがある。したがって、少なくともこの潜在的な問題に対処する、ＭＢＳＦＮベースバックホールリンクを介して中継器を効率的に動作させるための方法および装置が望ましい。さらに、送信中に、制御情報が、中継ノードと衝突するシンボルの初期セットを占有する、ドナーセルからのレガシー制御情報を中継ノードに受信させることを可能にする方法および装置を与えることが望ましい。
【０００８】
現在のワイヤレス通信システムの上記で説明した欠陥は、従来のシステムの一部の問題の概観を与えるものにすぎず、網羅的なものではない。従来のシステムの他の問題、および本明細書で説明する様々な非限定的な実施形態の対応する利益は、以下の説明を検討するとさらに明らかになり得る。
【発明の概要】
【０００９】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【００１０】
１つまたは複数の実施形態およびその対応する開示によれば、様々な態様を拡張ＭＢＳＦＮベースバックホールリンクに関して説明する。一態様では、ＭＢＳＦＮベースバックホールリンクを介して中継器を動作させることを可能にする方法およびコンピュータプログラム製品が開示される。これらの実施形態は、サブフレーム内で制御リソースの第１のセットと制御リソースの第２のセットとを割り振ることを含む。これらの実施形態は、連結されたリソースのセットを形成するために制御リソースの第１の部分を制御リソースの第２の部分と連結することであって、制御リソースの第１の部分が制御リソースの第１のセットに関連し、制御リソースの第２の部分が制御リソースの第２のセットに関連する、連結することをさらに含む。次いで、連結されたリソースのセットのサブセットを使用して少なくとも１つの制御信号が送信される。
【００１１】
別の態様では、ＭＢＳＦＮベースバックホールリンクを介して中継器を動作させることを可能にするように構成された装置が開示される。そのような実施形態内では、本装置は、メモリに記憶されたコンピュータ実行可能構成要素を実行するように構成されたプロセッサを含む。コンピュータ実行可能構成要素は、割振り構成要素と、連結構成要素と、発生構成要素と、通信構成要素とを含む。割振り構成要素は、サブフレーム内で制御リソースの第１のセットと制御リソースの第２のセットとを割り振るように構成される。次いで、連結構成要素は、連結されたリソースのセットを形成するために制御リソースの第１の部分を制御リソースの第２の部分と連結するように構成され、制御リソースの第１の部分が制御リソースの第１のセットに関連し、制御リソースの第２の部分が制御リソースの第２のセットに関連する。この実施形態の場合、発生構成要素は、連結されたリソースのセットのサブセットを含む少なくとも１つの制御信号を発生するように構成される。次いで、通信構成要素は、少なくとも１つの制御信号をダイレクトリンクユーザ機器または中継ノードに通信するように構成される。
【００１２】
さらなる態様では、別の装置が開示される。そのような実施形態内では、本装置は、割り振るための手段と、連結するための手段と、送信するための手段とを含む。この実施形態の場合、割り振るための手段は、サブフレーム内で制御リソースの第１のセットと制御リソースの第２のセットとを割り振る。次いで、連結するための手段は、連結されたリソースのセットを形成するために制御リソースの第１の部分を制御リソースの第２の部分と連結し、制御リソースの第１の部分は制御リソースの第１のセットに関連し、制御リソースの第２の部分は制御リソースの第２のセットに関連する。次いで、送信するための手段は、連結されたリソースのセットのサブセットを使用して少なくとも１つの制御信号を送信する。
【００１３】
別の態様では、ＭＢＳＦＮベースバックホールリンクを介して中継器を動作させるための他の方法およびコンピュータプログラム製品が開示される。これらの実施形態の場合、物理ハイブリッド自動再送要求インジケータチャネルに関連する制御リソースの第１のセットと制御リソースの第２のセットとを割り振る行為を含む様々な行為が行われる。これらの実施形態は、制御リソースの第１のセットに関連する第１の割振りサイズと、制御リソースの第２のセットに関連する第２の割振りサイズとの指示を可能にする指示方式を実装することをさらに含む。次いで、指示方式に従って少なくとも１つの制御信号が送信される。
【００１４】
ＭＢＳＦＮベースバックホールリンクを介して中継器を動作させるための別の装置も開示される。そのような実施形態内では、本装置は、メモリに記憶されたコンピュータ実行可能構成要素を実行するように構成されたプロセッサを含む。コンピュータ実行可能構成要素は、割振り構成要素と、インジケータ構成要素と、発生構成要素と、通信構成要素とを含む。割振り構成要素は、物理ハイブリッド自動再送要求インジケータチャネルに関連する制御リソースの第１のセットと制御リソースの第２のセットとを割り振るように構成される。次いで、インジケータ構成要素は、制御リソースの第１のセットに関連する第１の割振りサイズと、制御リソースの第２のセットに関連する第２の割振りサイズとの指示を与えるように構成される。この実施形態の場合、発生構成要素は、指示を含む少なくとも１つの制御信号を発生するように構成される。次いで、通信構成要素は、少なくとも１つの制御信号をダイレクトリンクユーザ機器または中継ノードに送信するように構成される。
【００１５】
さらなる態様では、別の装置が開示される。そのような実施形態内では、本装置は、割り振るための手段と、与えるための手段と、通信するための手段とを含む。この実施形態の場合、割り振るための手段は、物理ハイブリッド自動再送要求インジケータチャネルに関連する制御リソースの第１のセットと制御リソースの第２のセットとを割り振る。次いで、与えるための手段は、制御リソースの第１のセットに関連する第１の割振りサイズと、制御リソースの第２のセットに関連する第２の割振りサイズとの指示を与える。次いで、通信するための手段は、少なくとも１つの制御信号を送信し、少なくとも１つの制御信号が指示を含む。
【００１６】
他の態様では、制御信号を復号するための方法およびコンピュータプログラム製品が開示される。これらの実施形態は、復号方式を実装するようにユーザ機器を構成することを含む。次いで、制御リソースの第１の割振りセットまたは制御リソースの第２のセットのうちの少なくとも１つを含む、制御シンボルのセットが受信される。次いで、連結または指示のうちの少なくとも１つを復号するために、復号方式が実行される。この実施形態の場合、連結は、連結されたリソースのセットを形成するために制御リソースの第１の部分を制御リソースの第２の部分と連結し、制御リソースの第１の部分が制御リソースの第１のセットに関連し、制御リソースの第２の部分が制御リソースの第２のセットに関連する。一方、指示は、制御リソースの第１のセットに関連する第１の割振りサイズと、制御リソースの第２のセットに関連する第２の割振りサイズとを示す。
【００１７】
制御信号を復号することを可能にするように構成された装置も開示される。そのような実施形態内では、本装置は、メモリに記憶されたコンピュータ実行可能構成要素を実行するように構成されたプロセッサを含む。コンピュータ実行可能構成要素は、構成構成要素と、通信構成要素と、復号構成要素とを含む。構成構成要素は、復号方式を実装するようにユーザ機器を初期化するように構成される。通信構成要素は、制御リソースの第１のセットまたは制御リソースの第２のセットのうちの少なくとも１つを含む、制御シンボルのセットを受信するように構成される。次いで、復号構成要素は、復号方式に基づいて連結または指示のうちの少なくとも１つを確認するように構成される。この実施形態の場合、連結は、連結されたリソースのセットを形成するために制御リソースの第１の部分を制御リソースの第２の部分と連結し、制御リソースの第１の部分が制御リソースの第１のセットに関連し、制御リソースの第２の部分が制御リソースの第２のセットに関連する。一方、指示は、制御リソースの第１のセットに関連する第１の割振りサイズと、制御リソースの第２のセットに関連する第２の割振りサイズとを示す。
【００１８】
さらなる態様では、別の装置が開示される。そのような実施形態内では、本装置は、構成するための手段と、受信するための手段と、判断するための手段とを含む。構成するための手段は、復号方式を実装するようにユーザ機器を構成するために与えられる。受信するための手段は、制御リソースの第１のセットまたは制御リソースの第２のセットのうちの少なくとも１つを含む、制御シンボルのセットを受信する。次いで、判断するための手段は、復号方式に従って連結または指示のうちの少なくとも１つを判断するための手段である。この実施形態の場合、連結は、連結されたリソースのセットを形成するために制御リソースの第１の部分を制御リソースの第２の部分と連結し、制御リソースの第１の部分が制御リソースの第１のセットに関連し、制御リソースの第２の部分が制御リソースの第２のセットに関連する。一方、指示は、制御リソースの第１のセットに関連する第１の割振りサイズと、制御リソースの第２のセットに関連する第２の割振りサイズとを示す。
【００１９】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に記載する。ただし、これらの態様は、様々な実施形態の原理を採用することができる様々な方法のほんのいくつかを示すものであり、説明する実施形態は、すべてのそのような態様およびそれらの均等物を含むものとする。
【図面の簡単な説明】
【００２０】
【図１】本明細書に記載の様々な態様によるワイヤレス通信システムの図。
【図２】本明細書で説明する様々なシステムおよび方法とともに採用できる例示的なワイヤレスネットワーク環境の図。
【図３】一実施形態による、ＭＢＳＦＮベースバックホールリンクを介して中継器を動作させることを可能にする例示的なシステムの図。
【図４】マクロセルおよび中継セルにおける制御シンボルの例示的なセットの図。
【図５】マクロセルおよび中継セルにおける制御シンボルの例示的な整合の図。
【図６】一実施形態による、時分割多重を介して中継ノードおよび／またはダイレクトリンクユーザ機器をサービスすることを可能にする制御シンボルの例示的な図。
【図７】一実施形態による、周波数分割多重を介して中継ノードおよび／またはダイレクトリンクユーザ機器をサービスすることを可能にする制御シンボルの例示的な図。
【図８】本明細書の一態様による、ＭＢＳＦＮベースバックホールリンクを介して中継器を動作させることを可能にする例示的な基地局のブロック図。
【図９】ＭＢＳＦＮベースバックホールリンクを介して中継器を動作させることを実現する電気構成要素の第１の例示的な結合の図。
【図１０】ＭＢＳＦＮベースバックホールリンクを介して中継器を動作させることを実現する電気構成要素の第２の例示的な結合の図。
【図１１】本明細書の一態様による、ＭＢＳＦＮベースバックホールリンクを介して中継器を動作させることを可能にするための例示的な方法を示すフローチャート。
【図１２】本明細書の一態様による、制御信号を復号することを可能にする例示的なワイヤレス端末のブロック図。
【図１３】制御信号を復号することを実現する電気構成要素の第１の例示的な結合の図。
【図１４】制御信号を復号することを実現する電気構成要素の第２の例示的な結合の図。
【図１５】本明細書の一態様による、制御信号を復号することを可能にするための例示的な方法を示すフローチャート。
【図１６】複数のセルを含む様々な態様に従って実装される例示的な通信システムの図。
【図１７】本明細書で説明する様々な態様による例示的な基地局の図。
【図１８】本明細書で説明する様々な態様に従って実装される例示的なワイヤレス端末の図。
【発明を実施するための形態】
【００２１】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施され得ることは明らかであろう。他の例では、１つまたは複数の実施形態の説明を円滑にするために、よく知られている構造およびデバイスをブロック図の形態で示す。
【００２２】
本明細書は、ＭＢＳＦＮベースバックホールリンクを介して中継器の動作を可能にすることを対象とする。さらに、ＬＴＥ−Ａにおける拡張ＭＢＳＦＮベース中継器バックホールリンクを実装することに関連するいくつかの潜在的な問題に対処する例示的な実施形態が開示される。
【００２３】
この目的で、本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、高速パケットアクセス（ＨＳＰＡ）、および他のシステムなど様々なワイヤレス通信システムに対して使用され得ることに留意されたい。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。ＣＤＭＡ２０００は、ＩＳ−２０００、ＩＳ−９５、およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標)）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。
【００２４】
シングルキャリア周波数分割多元接続（ＳＣ−ＦＤＭＡ）は、シングルキャリア変調および周波数領域等化を利用する。ＳＣ−ＦＤＭＡは、ＯＦＤＭＡシステムと同様のパフォーマンスおよび本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは、たとえば、より低いＰＡＰＲが送信電力効率の点でアクセス端末に大きな利益を与えるアップリンク通信において使用され得る。したがって、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡにおいてアップリンク多元接続方式として実装され得る。
【００２５】
高速パケットアクセス（ＨＳＰＡ）は、高速ダウンリンクパケットアクセス（ＨＳＤＰＡ）技術と高速アップリンクパケットアクセス（ＨＳＵＰＡ）または拡張アップリンク（ＥＵＬ）技術とを含むことができ、ＨＳＰＡ＋技術をも含むことができる。ＨＳＤＰＡ、ＨＳＵＰＡおよびＨＳＰＡ＋は、それぞれ、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）規格のリリース５、リリース６、およびリリース７の一部である。
【００２６】
高速ダウンリンクパケットアクセス（ＨＳＤＰＡ）は、ネットワークからユーザ機器（ＵＥ）へのデータ送信を最適化する。本明細書で使用する、ネットワークからユーザ機器ＵＥへの送信は「ダウンリンク」（ＤＬ）と呼ばれることがある。送信方法は、数Ｍｂｉｔ／ｓのデータレートを可能にすることができる。高速ダウンリンクパケットアクセス（ＨＳＤＰＡ）は、モバイル無線ネットワークの容量を増大させることができる。高速アップリンクパケットアクセス（ＨＳＵＰＡ）は、端末からネットワークへのデータ送信を最適化することができる。本明細書で使用する、端末からネットワークへの送信は「アップリンク」（ＵＬ）と呼ばれることがある。アップリンクデータ送信方法は、数Ｍｂｉｔ／ｓのデータレートを可能にすることができる。ＨＳＰＡ＋は、３ＧＰＰ規格のリリース７において規定されているようにアップリンクとダウンリンクの両方においてなお一層の改善を可能にする。高速パケットアクセス（ＨＳＰＡ）方法は、一般に、たとえば、ボイスオーバＩＰ（ＶｏＩＰ）、ビデオ会議およびモバイルオフィスアプリケーションの大容量のデータを送信するデータサービスにおいて、ダウンリンクとアップリンクとの間のより高速な対話を可能にする。
【００２７】
ハイブリッド自動再送要求（ＨＡＲＱ）などの高速データ伝送プロトコルは、アップリンクとダウンリンクとの上で使用され得る。ハイブリッド自動再送要求（ＨＡＲＱ）などのそのようなプロトコルは、受信者が、間違って受信された可能性があるパケットの再送信を自動的に要求できるようにする。
【００２８】
様々な実施形態について、アクセス端末に関して本明細書で説明する。アクセス端末は、システム、加入者ユニット、加入者局、移動局、モバイル、リモート局、リモート端末、モバイルデバイス、ユーザ端末、端末、ワイヤレス通信デバイス、ユーザエージェント、ユーザデバイス、またはユーザ機器（ＵＥ）とも呼ばれることがある。アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、様々な実施形態について、基地局に関して本明細書で説明する。基地局は、（１つまたは複数の）アクセス端末と通信するために利用でき、アクセスポイント、ノードＢ、進化型ノードＢ（ｅノードＢ）、アクセスポイント基地局、または何らかの他の用語で呼ばれることもある。
【００２９】
次に図１を参照すると、本明細書で提示する様々な実施形態によるワイヤレス通信システム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナを利用することができる。基地局１０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００３０】
基地局１０２は、アクセス端末１１６およびアクセス端末１２２などの１つまたは複数のアクセス端末と通信することができるが、基地局１０２は、アクセス端末１１６および１２２と同様の実質的にいかなる数のアクセス端末とも通信することができることを諒解されたい。アクセス端末１１６および１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための任意の他の適切なデバイスであり得る。図示のように、アクセス端末１１６はアンテナ１１２および１１４と通信しており、アンテナ１１２および１１４は、順方向リンク１１８を介してアクセス端末１１６に情報を送信し、逆方向リンク１２０を介してアクセス端末１１６から情報を受信する。その上、アクセス端末１２２はアンテナ１０４および１０６と通信しており、アンテナ１０４および１０６は、順方向リンク１２４を介してアクセス端末１２２に情報を送信し、逆方向リンク１２６を介してアクセス端末１２２から情報を受信する。周波数分割複信（ＦＤＤ）システムでは、たとえば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を使用することができる。さらに、時分割複信（ＴＤＤ）システムでは、順方向リンク１１８および逆方向リンク１２０は共通の周波数帯を利用し、順方向リンク１２４および逆方向リンク１２６は共通の周波数帯を利用することができる。
【００３１】
アンテナの各グループおよび／またはそれらが通信するように指定されたエリアは、基地局１０２のセクタと呼ばれることがある。たとえば、基地局１０２によってカバーされるエリアのセクタ中のアクセス端末に通信するようにアンテナグループを設計することができる。順方向リンク１１８および１２４を介した通信では、基地局１０２の送信アンテナは、アクセス端末１１６および１２２の順方向リンク１１８および１２４の信号対雑音比を改善するためにビームフォーミングを利用することができる。また、基地局１０２は、ビームフォーミングを利用して、関連するカバレージにわたってランダムに散在するアクセス端末１１６および１２２に送信するが、基地局が単一のアンテナを介してその基地局のすべてのアクセス端末に送信する場合と比較して、隣接セル中のアクセス端末は干渉を受けにくい。
【００３２】
図２に、例示的なワイヤレス通信システム２００を示す。ワイヤレス通信システム２００には、簡潔のために、１つの基地局２１０と、１つのアクセス端末２５０とを示してある。ただし、システム２００は２つ以上の基地局および／または２つ以上のアクセス端末を含むことができ、追加の基地局および／またはアクセス端末は、以下で説明する例示的な基地局２１０およびアクセス端末２５０と実質的に同様または異なるものであり得ることを諒解されたい。さらに、基地局２１０および／またはアクセス端末２５０は、それらの間のワイヤレス通信を可能にするために、本明細書で説明するシステムおよび／または方法を採用することができることを諒解されたい。
【００３３】
基地局２１０において、いくつかのデータストリームのトラフィックデータがデータソース２１２から送信（ＴＸ）データプロセッサ２１４に供給される。一例によれば、各データストリームはそれぞれのアンテナを介して送信され得る。ＴＸデータプロセッサ２１４は、トラフィックデータストリーム用に選択された特定の符号化方式に基づいて、そのデータストリームをフォーマット化し、符号化し、インターリーブして、符号化データを与える。
【００３４】
各データストリームの符号化データは、直交周波数分割多重（ＯＦＤＭ）技法を使用してパイロットデータと多重化され得る。追加または代替として、パイロットシンボルは、周波数分割多重（ＦＤＭ）、時分割多重（ＴＤＭ）、または符号分割多重（ＣＤＭ）され得る。パイロットデータは、一般に、知られている方法で処理される知られているデータパターンであり、チャネル応答を推定するためにアクセス端末２５０において使用され得る。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータレート、符号化、および変調は、プロセッサ２３０によって実行または与えられる命令によって判断され得る。
【００３５】
データストリームの変調シンボルはＴＸ  ＭＩＭＯプロセッサ２２０に供給され、ＴＸ  ＭＩＭＯプロセッサ２２０は、さらに（たとえば、ＯＦＤＭ用に）変調シンボルを処理することができる。次いで、ＴＸ  ＭＩＭＯプロセッサ２２０はＮT個の変調シンボルストリームをＮT個の送信機（ＴＭＴＲ）２２２ａ〜２２２ｔに供給する。様々な実施形態では、ＴＸ  ＭＩＭＯプロセッサ２２０は、データストリームのシンボルと、シンボルの送信元のアンテナとにビームフォーミング重みを適用する。
【００３６】
各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機２２２ａ〜２２２ｔからのＮT個の変調信号は、それぞれ、ＮT個のアンテナ２２４ａ〜２２４ｔから送信される。
【００３７】
アクセス端末２５０では、送信された変調信号はＮR 個のアンテナ２５２ａ〜２５２ｒによって受信され、各アンテナ２５２から受信された信号は、それぞれの受信機（ＲＣＶＲ）２５４ａ〜２５４ｒに供給される。各受信機２５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを供給する。
【００３８】
ＲＸデータプロセッサ２６０は、特定の受信機処理技法に基づいてＮR個の受信機２５４からＮR個の受信シンボルストリームを受信し、処理して、ＮT個の「検出」シンボルストリームを供給することができる。ＲＸデータプロセッサ２６０は、各検出シンボルストリームを復調し、デインターリーブし、復号して、データストリームのトラフィックデータを復元することができる。ＲＸデータプロセッサ２６０による処理は、基地局２１０においてＴＸ  ＭＩＭＯプロセッサ２２０およびＴＸデータプロセッサ２１４によって実行される処理を補足するものである。
【００３９】
プロセッサ２７０は、上述のように、どの利用可能な技術を利用すべきかを周期的に判断することができる。さらに、プロセッサ２７０は、行列インデックス部分とランク値部分とを備える逆方向リンクメッセージを作成することができる。
【００４０】
逆方向リンクメッセージは、通信リンクおよび／または受信データストリームに関する様々なタイプの情報を備えることができる。逆方向リンクメッセージは、データソース２３６から複数のデータストリームのトラフィックデータをも受信するＴＸデータプロセッサ２３８によって処理され、変調器２８０によって変調され、送信機２５４ａ〜２５４ｒによって調整され、基地局２１０に戻される。
【００４１】
基地局２１０において、アクセス端末２５０からの変調信号は、アンテナ２２４によって受信され、受信機２２２によって調整され、復調器２４０によって復調され、ＲＸデータプロセッサ２４２によって処理されて、アクセス端末２５０によって送信された逆方向リンクメッセージが抽出される。さらに、プロセッサ２３０は、抽出されたメッセージを処理して、ビームフォーミング重みを判断するためにどのプリコーディング行列を使用すべきかを判断することができる。
【００４２】
プロセッサ２３０および２７０は、それぞれ基地局２１０およびアクセス端末２５０における動作を指示（たとえば、制御、調整、管理など）することができる。それぞれのプロセッサ２３０および２７０は、プログラムコードおよびデータを記憶するメモリ２３２および２７２に結合され得る。プロセッサ２３０および２７０はまた、それぞれ、アップリンクとダウンリンクとに関して周波数推定値とインパルス応答推定値とを導き出すための計算を実行することができる。
【００４３】
次に図３を参照すると、一実施形態による、ＭＢＳＦＮベースバックホールリンクを介して中継器を動作させることを可能にする例示的なシステムが与えられている。図示のように、システム３００は、中継ノード３２０と、レガシーダイレクトリンクワイヤレス端末３３０（たとえば、ＬＴＥリリース８ＵＥ）と、非レガシーワイヤレス端末３４０（たとえば、ＬＴＥ−Ａ  ＵＥ、来るべきＵＥなど）とに通信可能に結合された基地局３１０を含む。そのような実施形態内では、基地局３１０が、中継ノード３２０、レガシーダイレクトリンクワイヤレス端末３３０、および／または非レガシーワイヤレス端末３４０のいずれかのためのリソース割振りを含む制御信号を発生する。一態様では、制御シンボルが連結され、その後、中継ノード３２０、レガシーダイレクトリンクワイヤレス端末３３０、および／または非レガシーワイヤレス端末３４０のいずれかによって復号可能である方法で送信される。別の態様では、それぞれの制御領域サイズの指示が、制御信号を介して、同じく、中継ノード３２０、レガシーダイレクトリンクワイヤレス端末３３０および／または非レガシーワイヤレス端末３４０のいずれかによって復号可能である方法で与えられる。これらおよび他の例示的な実施形態について、以下でより詳細に説明する。
【００４４】
前述のように、ＬＴＥ−Ａ中継器のための経済的に魅力的なオプションは、各周波数帯域上でアクセスおよびバックホールリンクのために、ＴｘとＲｘとの間で切り替える、インバンド半二重中継器である。一態様では、ＭＢＳＦＮサブフレームは、中継器が、ダウンリンク上の第１および場合によっては第２のＯＦＤＭシンボル上で、共通基準信号と制御信号（たとえば、アップリンクデータ用のＰＣＦＩＣＨ、ＰＨＩＣＨ、および／またはＰＤＣＣＨ許可（レガシーＵＥと非レガシーＵＥの両方）、ならびにダウンリンクデータ用のＰＤＣＣＨ許可（非レガシーＵＥ））を送信し、次いで、サブフレームの残りのためのドナーセル送信を受信するように切り替える、中継器半二重ダウンリンク動作を可能にする。
【００４５】
ただし、典型的なＭＢＳＦＮ構成は、非ＭＢＳＦＮサブフレームであるサブフレーム０、４、５および９を制限する。この制限は、中継ノードが１０個のダウンリンクサブフレームの中から高々６つをバックホール通信のために使用することができることを暗示する。さらに、中継ノードはバックホールリンクのためにＭＢＳＦＮサブフレームを使用し、中継ノードは中継ＵＥをサービスしない（たとえば、アクセスリンクがオフである）。さらに、１つまたは２つのＴｘアンテナポートの場合は、中継ノードによってそのＭＢＳＦＮサブフレーム中で少なくとも１つのＯＦＤＭシンボル（たとえば、最高２つのシンボル）が送信され、４つのＴｘアンテナポートの場合は、固定の２つのシンボルが送信される。中継ノードの半二重性質により、送信するとき、（図４に関して以下で説明するように）通常の巡回プレフィックス（ＣＰ）の場合、中継ノードはマクロセルから第１および／または第２の制御シンボル中で制御情報を受信することができない。拡張ＣＰの場合への拡張も企図される。
【００４６】
次に図４を参照すると、マクロセルおよび中継セルにおける制御シンボルの例示的なセットの図が与えられている。ここで、制御シンボル４００のセットは、マクロセル中に構成された２つの制御シンボルと中継セル中に構成された１つの制御シンボルを仮定し、中継バックホール中の特定の制御チャネルの問題を示している。わかるように、中継ノードは、マクロセルからの第１の制御シンボル中の制御情報を消失し、したがって、マクロセルからの最初の２つの制御シンボル中の制御情報全体を消失する。結果として、中継セル中の最初の２つのシンボルは事実上役立たなくなる。
【００４７】
本明細書では、上記で説明した問題を緩和するために少なくとも２つの可能なステップを提案する。第１に、中継ノード中の制御シンボルの数が最小化され得る。たとえば、１つおよび２つのＴｘアンテナポートの場合は１つの制御シンボルであり、４つのＴｘアンテナポートの場合は２つの制御シンボルである。第２に、マクロセル中の制御シンボルの数は、中継ノード中の制御シンボルに整合され得る。
【００４８】
次に図５を参照すると、制御シンボルの例示的な整合の図が与えられ、中継ノードにおけるＴｘからＲｘへの切替え時間は無視できると仮定される。さらに、制御シンボルのセット５００は、前述のようにマクロセルおよび中継ノードにおいて整合される。そのような実施形態内では、中継ノードは、マクロセルからの第１の制御シンボル中の制御情報を消失する。ただし、マクロセル中の第１の制御シンボルがダイレクトリンクＵＥのみをサービスすることができることに留意されたい。したがって、この実施形態の場合、中継ノードをサービスするために、マクロセルは、残りのシンボル中のＬＴＥ−Ａ制御チャネルを、リリース８の場合のように時分割多重（ＴＤＭ）方式、周波数分割多重（ＦＤＭ）方式、またはそれらの組合せのいずれかで有する必要がある。この目的で、図６および図７に、それぞれ、ＴＤＭおよびＦＤＭを介して中継ノードおよび／またはダイレクトリンクユーザ機器をサービスすることを可能にする制御シンボル６０２および７０２の例示的な図を与える。
【００４９】
次に、いくつかの潜在的な問題と提案されたソリューションとが企図される。マクロセル中の最初のいくつかの制御シンボル（たとえば、ＬＴＥリリース８において、システム帯域幅が１０リソースブロックよりも大きい場合は最高３つのシンボル、他の場合は最高４つのシンボル）がダイレクトリンクＵＥのみをサービスすることができることに留意されたい。そのようなシンボルでは、物理制御フォーマットインジケータチャネル（ＰＣＦＩＣＨ）は、共通基準信号（ＣＲＳ）および物理ハイブリッド自動再送要求インジケータチャネル（ＰＨＩＣＨ）とともに（たとえば、Ｎｇ＝１／６などの最小リソース割振りとともに）送信される必要がある。物理ダウンリンク制御チャネル（ＰＤＣＣＨ）はまた、ダイレクトリンクＵＥをサービスするために送信され得る。ＦＤＭ／ＴＤＭ構造にかかわらず、ＬＴＥ−Ａ制御は、少なくともＰＤＣＣＨを搬送すべきである。ＰＤＣＣＨは、中継ノードとダイレクトリンクＵＥの両方をサービスすることができる。ＰＣＦＩＣＨ（ＴＤＭ）またはＰＣＦＩＣＨ等価情報（ＦＤＭ、たとえば、制御のために使用されるリソースブロックの数、潜在的にリソースブロックのロケーション）および／またはＰＨＩＣＨは、同様にＬＴＥ−Ａ制御情報によって送信され得る。この場合も、このＰＣＦＩＣＨ／ＰＨＩＣＨ情報は、中継ノード、ダイレクトリンクＵＥ、または両方を対象とすることができる。
【００５０】
リリース８では、ＰＤＣＣＨを復号するために、ＰＨＩＣＨのために予約されたリソースの量を知ることが必要であり得る。したがって、ＰＤＣＣＨ検出の前にＰＨＩＣＨ情報が知られるかまたは検出される必要がある。これは、一般に、ＰＨＩＣＨ情報が物理ブロードキャストチャネル（ＰＢＣＨ）中のキャリアであるためである。ＬＴＥ−Ａでは、ＴＤＭ制御構造かＦＤＭ制御構造かにかかわらず、ＬＴＥ−Ａ  ＰＨＩＣＨがサポートされる場合、１つのシンボルまたは１つのリソースブロック中でＰＨＩＣＨおよびＰＤＣＣＨを多重化することが望ましい。ただし、これは、ＰＨＩＣＨ情報の２つのセットが前もって送信される必要がある状況を作成する。
【００５１】
上述の情報を与えるためのいくつかの可能なソリューションが企図される。たとえば、リリース８において、制御シンボルはハードコーディングされ（たとえば、Ｎｇ＝１／６または０）、ただし、ＰＢＣＨにおけるＮｇはＬＴＥ−Ａ制御のためのＮｇを示す。Ｎｇはまた、ＦＤＭ制御構造の場合、ＬＴＥ−Ａ制御のために使用されるリソースブロックの総数を暗黙的に示すことができる。追加または代替として、リリース８とＬＴＥ−Ａ制御の両方のためのＮｇを示すことができ（たとえば、リリース８とＬＴＥ−Ａとのために常に同じＮｇ値をエンフォースする）、またはＬＴＥ−Ａ  Ｎｇ値を示すために新しいビットが導入され得る。
【００５２】
さらに、追加の考慮事項はＰＨＩＣＨ設計に関する。リリース８とＬＴＥ−Ａの両方がＰＨＩＣＨを含むので、ＰＨＩＣＨ情報を効果的に取得するために、ダイレクトリンクＵＥのための方式を実装することが望ましい。一態様では、実際のＰＨＩＣＨリソースインデックスマッピングのために、実際の物理アップリンク共有チャネル（ＰＵＳＣＨ）送信のための最低物理リソースブロックに基づいて、リリース８ＰＨＩＣＨリソースとＬＴＥ−Ａ  ＰＨＩＣＨリソースとが論理的に連結される。
【００５３】
別の考慮事項は物理アップリンク制御チャネル（ＰＵＣＣＨ）設計に関する。より詳細には、ＰＤＣＣＨ中の最小制御チャネル要素（ＣＣＥ）に基づいて確認応答／否定応答リソースを導出するための設計考慮事項が企図される。一態様では、これは、実際のＰＵＣＣＨリソースインデックスマッピングのためにリリース８ＰＤＣＣＨリソースとＬＴＥ−Ａ  ＰＤＣＣＨリソースとを論理的に連結することによって達成され得る。
【００５４】
さらに、リリース８では、ＰＤＣＣＨ検出が、探索空間とアグリゲーションレベルとに関して編成されることに留意されたい。アグリゲーションレベルに関して、４つの可能なアグリゲーションレベル、１、２、４、または８ＣＣＥがあることに留意されたい（ただし、各ＣＣＥは、３６個のリソース要素を消費する）。探索空間は、アグリゲーションレベルＬのための復号候補が、常にＬの整数倍である開始ＣＣＥを有するツリー構造に従う。
【００５５】
共通とＵＥ固有の２つのタイプの探索空間があることにさらに留意されたい。共通探索空間は、アグリゲーションレベル４および８を有し得、ＵＥ固有探索空間は１、２、４および８を有し得る。探索空間およびアグリゲーションレベル当たりの復号候補の数は、共通の探索空間ではレベル｛４，８｝に対して｛４，２｝であり、ＵＥ固有探索空間では｛６，６，２，２｝である。ただし、ダイレクトリンクＵＥのためのＰＤＣＣＨのための利用可能なリソースは、２つの部分、リリース８部分（たとえば、第１および／または第２の制御シンボル）とＬＴＥ−Ａ部分（たとえば、ＴＤＭまたはＦＤＭ構造）とに分割される。そのような静的区分がエンフォースされる場合、それは非効率的である。いずれの場合も、ダイレクトリンクＵＥのための｛４，２｝、｛６，６，２，２｝復号候補を依然として取得する方法に関する問題が残る。
【００５６】
本明細書で開示する第１のオプションは、リリース８ＰＤＣＣＨリソースとＬＴＥ−Ａ  ＰＤＣＣＨリソースとを論理的に連結することを含む。追加または代替として、リリース８ＰＤＣＣＨリソースとＬＴＥ−Ａ  ＰＤＣＣＨリソースとを論理的に連結するが、上述のツリー構造を尊重するソリューションについて説明する。たとえば、ツリー構造が維持され得るように、連結はＰＤＣＣＨアグリゲーションレベルに依存することができる。特定の例では、リリース８制御領域中にＮ１個のＣＣＥがあり、ＬＴＥ−Ａ制御領域中にＮ２個のＣＣＥがある場合、ツリー構造を観測するために、各アグリゲーションレベルＬのためのＣＣＥの数は、ｆｌｏｏｒ（Ｎ１／Ｌ）＋ｆｌｏｏｒ（Ｎ２／Ｌ）、ただしＬ＝１，２，４，８である。
【００５７】
次に図８を参照すると、一実施形態による、ＭＢＳＦＮベースバックホールリンクを介して中継器を動作させることを可能にする例示的な基地局のブロック図が与えられている。図示のように、割当てユニット８００は、プロセッサ構成要素８１０と、メモリ構成要素８２０と、割振り構成要素８３０と、連結構成要素８４０と、インジケータ構成要素８５０と、発生構成要素８６０と、通信構成要素８７０とを含み得る。
【００５８】
一態様では、プロセッサ構成要素８１０は、複数の機能のいずれかを実行することに関係するコンピュータ可読命令を実行するように構成される。プロセッサ構成要素８１０は、基地局８００から通信すべき情報を分析すること、ならびに／あるいはメモリ構成要素８２０、割振り構成要素８３０、連結構成要素８４０、インジケータ構成要素８５０、発生構成要素８６０、および／または通信構成要素８７０によって利用できる情報を生成することに専用の単一のプロセッサまたは複数のプロセッサであり得る。追加または代替として、プロセッサ構成要素８１０は、基地局８００の１つまたは複数の構成要素を制御するように構成され得る。
【００５９】
別の態様では、メモリ構成要素８２０は、プロセッサ構成要素８１０に結合され、プロセッサ構成要素８１０によって実行されるコンピュータ可読命令を記憶するように構成される。メモリ構成要素８２０はまた、割振り構成要素８３０、連結構成要素８４０、インジケータ構成要素８５０、発生構成要素８６０、および／または通信構成要素８７０のいずれかによって生成されるデータを含む複数の他のタイプのデータのいずれかを記憶するように構成され得る。メモリ構成要素８２０は、ランダムアクセスメモリ、バッテリーバックアップ付きメモリ、ハードディスク、磁気テープなどを含むいくつかの異なる構成で構成できる。圧縮および自動バックアップなどの様々な特徴（たとえば、Ｒｅｄｕｎｄａｎｔ  Ａｒｒａｙ  ｏｆ  Ｉｎｄｅｐｅｎｄｅｎｔ  Ｄｒｉｖｅｓ構成の使用）はまた、メモリ構成要素８２０上に実装できる。
【００６０】
図示のように、基地局８００はまた、割振り構成要素８３０を含み得る。そのような実施形態内では、割振り構成要素８３０は、サブフレーム内で制御リソースの第１のセットと制御リソースの第２のセットとを割り振るように構成される。一態様では、制御リソースの第１のセットまたは第２のセットのいずれかが物理ハイブリッド自動再送要求インジケータチャネルに関連し得る。別の態様では、制御リソースの第１のセットがレガシー制御領域内にあり、制御リソースの第２のセットが非レガシー制御領域内にある。
【００６１】
別の態様では、基地局８００は、連結されたリソースのセットを形成するために制御リソースの第１の部分と制御リソースの第２の部分との連結を実行するように構成された連結構成要素８４０をさらに含み得る。ここで、第１の部分はレガシーユーザ機器（たとえば、リリース８ＵＥ）に関連し得、第２の部分は非レガシーユーザ機器（たとえば、ＬＴＥ−Ａ  ＵＥ、来るべきＵＥなど）に関連し得る。一実施形態では、連結構成要素８４０が、非レガシーユーザに関連する物理ダウンリンク共有チャネル送信のための連結されたリソースのセットのサブセットに基づいて、ハイブリッド自動再送要求リソースを確認するようにさらに構成される。
【００６２】
基地局８００はまた、制御リソースの第１のセットに関連する第１の割振りサイズと、制御リソースの第２のセットに関連する第２の割振りサイズとの指示を与えるように構成されたインジケータ構成要素８５０を含み得る。ここで、第１の割振りサイズは非レガシーユーザ機器（たとえば、ＬＴＥ−Ａ  ＵＥ、来るべきＵＥなど）と関連し得、第２の割振りサイズはレガシーユーザ機器（たとえば、リリース８ＵＥ）と関連し得る。この目的で、インジケータ構成要素８５０が、複数の指示方式のいずれかを実装するように構成され得ることに留意されたい。たとえば、例示的な実施形態では、インジケータ構成要素８５０は、物理ブロードキャストチャネル中にビットの新しいセットを導入するようにさらに構成され、導入動作は第１の割振りサイズを示す。別の例示的な実施形態では、インジケータ構成要素８５０が、物理ブロードキャストチャネルを介して第１の割振りサイズを示し、第２の割振りサイズを少なくとも１つの制御信号中にハードコーディングするようにさらに構成される。さらなる例示的な実施形態では、インジケータ構成要素８５０が、第１の割振りサイズを第２の割振りサイズに等しくするようにさらに構成され、指示が、物理ブロードキャストチャネルを介して通信される。さらに別の例示的な実施形態では、インジケータ構成要素８５０が、レイヤ３構成を介して第１の割振りサイズまたは第２の割振りサイズのうちの少なくとも１つを通信するようにさらに構成される。
【００６３】
図示のように、基地局８００はまた、発生構成要素８６０を含み得る。そのような実施形態内では、発生構成要素８６０は、制御リソースの第１のセットまたは制御リソースの第２のセットの少なくとも１つを含む少なくとも１つの制御信号を発生するように構成される。ここで、発生構成要素８６０が、様々なタイプの制御信号のいずれかを発生するように構成され得、次いで、連結構成要素８４０が連結プロセス中に利用される様々なタイプのリソースを確認するために使用されることに留意されたい。たとえば、第１の態様では、少なくとも１つの制御信号が物理ハイブリッド自動再送要求インジケータチャネルである。この実施形態の場合、連結構成要素８４０が、実際の物理アップリンク共有チャネル送信の最低物理リソースブロックに基づいて、連結されたリソースのセットのサブセット内で、実際の物理アップリンク共有チャネル送信のためのハイブリッド自動再送要求リソースを確認するようにさらに構成され得る。第２の態様では、少なくとも１つの制御信号が物理ダウンリンク制御チャネルである。この実施形態の場合、連結構成要素８４０が、非レガシーユーザ機器に関連するアグリゲーションレベルのための連結されたリソースのセットのサブセット内で、物理ダウンリンク制御チャネル復号候補のセットを確認するようにさらに構成され得る。次いで、連結はアグリゲーションレベルに基づき得る。
【００６４】
さらに別の態様では、基地局８００は、プロセッサ構成要素８１０に結合され、基地局８００を外部エンティティとインターフェースするように構成された通信構成要素８７０を含む。たとえば、通信構成要素８７０は、少なくとも１つの制御信号をダイレクトリンクユーザ機器または中継ノードに通信するように構成され得る。一態様では、通信構成要素８７０が第１の制御信号および第２の制御信号を送信するようにさらに構成され得、第１の制御信号は制御リソースの少なくとも第１のセットを含み、第２の制御信号は制御リソースの第１のセットと制御リソースの第２のセットとを含むことに留意されたい。第１の態様では、発生構成要素８６０は除外動作を介して制御リソースを除外するように構成され得、制御リソースの第２のセットは第１の制御信号から除外され、通信構成要素８７０は、レガシーユーザ機器に第１の制御信号を送信するように構成される。別の態様では、通信構成要素８７０は、非レガシーユーザ機器または中継ノードに第２の制御信号を送信するように構成される。
【００６５】
通信構成要素８７０が、制御データを複数のフォーマットのいずれかで与えるように構成され得ることにさらに留意されたい。たとえば、一態様では、通信構成要素８７０はレガシー制御領域を時分割多重フォーマットで与えるように構成され、レガシー制御領域は最高２つの直交周波数分割多重シンボルを含む。別の態様では、通信構成要素８７０は、非レガシー制御領域を、時分割多重フォーマット、周波数分割多重フォーマット、および／または周波数分割多重フォーマットと時分割多重フォーマットとを組み合わせたフォーマットで与えるように構成される。
【００６６】
図９を参照すると、一実施形態による、ＭＢＳＦＮベースバックホールリンクを介して中継器を動作させることを可能にするシステム９００が示されている。たとえば、システム９００、および／またはシステム９００を実装するための命令は、ネットワークエンティティ（たとえば、基地局８００）内に、またはコンピュータ可読記憶媒体内に常駐することができる。図示のように、システム９００はプロセッサ、ソフトウェア、またはそれらの組合せ（たとえば、ファームウェア）によって実装される機能を表すことができる機能ブロックを含む。システム９００は、連携して動作することができる電気構成要素の論理グルーピング９０２を含む。図示のように、論理グルーピング９０２は、サブフレーム内で制御リソースの第１のセットと制御リソースの第２のセットとを割り振るための電気構成要素９１０を含むことができる。論理グルーピング９０２はまた、連結されたリソースのセットを形成するために制御リソースの第１の部分を制御リソースの第２の部分と連結するための電気構成要素９１２を含むことができる。さらに、論理グルーピング９０２は、連結されたリソースのセットのサブセットを使用して少なくとも１つの制御信号を送信するための電気構成要素９１４を含むことができる。さらに、システム９００は、電気構成要素９１０、９１２、および９１４に関連付けられた機能を実行するための命令を保持するメモリ９２０を含むことができ、電気構成要素９１０、９１２、および９１４のいずれも、メモリ９２０の内部または外部のいずれかに存在することができる。
【００６７】
次に図１０を参照すると、一実施形態による、ＭＢＳＦＮベースバックホールリンクを介して中継器を動作させることを可能にする別のシステム１０００が示されている。システム１０００、および／またはシステム１０００を実装するための命令はまた、たとえば、ネットワークエンティティ（たとえば、基地局８００）内に、またはコンピュータ可読記憶媒体内に常駐することができ、システム１０００は、プロセッサ、ソフトウェア、またはそれらの組合せ（たとえば、ファームウェア）によって実装される機能を表すことができる機能ブロックを含む。その上、システム１０００は、システム９００中の論理グルーピング９０２と同様に、連携して動作することができる電気構成要素の論理グルーピング１００２を含む。図示のように、論理グルーピング１００２は、サブフレーム内で制御リソースの第１のセットと制御リソースの第２のセットとを割り振るための電気構成要素１０１０を含むことができる。論理グルーピング１００２はまた、第１の割振りサイズと第２の割振りサイズとの指示を可能にする指示方式を実装するための電気構成要素１０１２を含むことができる。さらに、論理グルーピング１００２は、指示方式に従って少なくとも１つの制御信号を送信するための電気構成要素１０１４を含むことができる。さらに、システム１０００は、電気構成要素１０１０、１０１２、および１０１４に関連する機能を実行するための命令を保持するメモリ１０２０を含むことができる。メモリ１０２０の外部にあるものとして図示されているが、電気構成要素１０１０、１０１２、および１０１４はメモリ１０２０の内部に存在することができることを理解されたい。
【００６８】
次に図１１を参照すると、ＭＢＳＦＮベースバックホールリンクを介して中継器を動作させることを可能にするための例示的な方法を示すフローチャートが与えられている。図示のように、プロセス１１００は、本明細書の一態様に従ってネットワークエンティティ（たとえば、基地局８００）の様々な構成要素によって実行され得る一連の行為を含む。プロセス１１００は、一連の行為を実装するためにコンピュータ可読記憶媒体に記憶されたコンピュータ実行可能命令を実行するために少なくとも１つのプロセッサを採用することによって実装され得る。別の実施形態では、少なくとも１つのコンピュータに、プロセス１１００の行為を実装させるためのコードを備えるコンピュータ可読記憶媒体が企図される。
【００６９】
一態様では、プロセス１１００は、行為１１１０において、中継ノードとダイレクトリンクＵＥとの通信が確立されることで開始する。一態様では、ダイレクトリンクＵＥは、レガシーＵＥ（たとえば、リリース８ＵＥ）および／または非レガシーＵＥ（たとえば、ＬＴＥ−Ａ  ＵＥ、来るべきＵＥなど）を含み得る。
【００７０】
次に、行為１１２０において、サービスされている特定のエンティティに応じてリソースが割り振られる。所与の時間に、そのようなエンティティは複数のダイレクトリンクＵＥおよび／または中継ノードのいずれかを含み得、制御リソースの第１のセットと制御リソースの第２のセットとが割り振られる。割り振られると、次いで、プロセス１１００は行為１１３０に進み、基地局は、それらのリソースの部分を連結するか、または特定の割振りサイズを示すために指示方式を実装するかを判断する。
【００７１】
連結ベースのアルゴリズムが実装された場合、プロセス１１００は行為１１４０に進み、割振り部分が確認される。特定の一実施形態では、制御リソースの第１の部分が制御リソースの第１のセットに関連し、制御リソースの第２の部分が制御リソースの第２のセットに関連する。確認されると、次いで、行為１１５０において、割振り部分が論理的に連結される。次に、行為１１６０において、連結された割振り部分のサブセットを含む制御信号が発生し、その後、行為１１７０において制御信号が通信される。
【００７２】
ただし、連結ベースのアルゴリズムが実装されていない場合、プロセス１１００は行為１１３５に進み得、割振りサイズが確認される。特定の一実施形態では、制御リソースの第１の割振りサイズが制御リソースの第１のセットに関連し、制御リソースの第２の割振りサイズが制御リソースの第２のセットに関連する。割振りサイズが確認されると、行為１１４５において、割振りサイズを示すための適切な指示方式が実装される。次に、行為１１６０において、指示方式に従って制御信号が発生し、その後、行為１１７０において制御信号が通信される。
【００７３】
次に図１２を参照すると、ブロック図は、様々な態様による、制御信号を復号することを可能にする例示的なワイヤレス端末を示している。図示のように、ワイヤレス端末１２００は、プロセッサ構成要素１２１０と、メモリ構成要素１２２０と、構成構成要素１２３０と、通信構成要素１２４０と、復号構成要素１２５０とを含み得る。
【００７４】
基地局８００中のプロセッサ構成要素８１０と同様に、プロセッサ構成要素１２１０は、複数の関数のいずれかを実行することに関係するコンピュータ可読命令を実行するように構成される。プロセッサ構成要素１２１０は、ワイヤレス端末１２００から通信される情報を分析すること、ならびに／あるいはメモリ構成要素１２２０、検出構成要素１２３０、識別子構成要素１２４０、および／または受信構成要素１２５０によって利用できる情報を生成することに専用の単一のプロセッサまたは複数のプロセッサであり得る。追加または代替として、プロセッサ構成要素１２１０は、ワイヤレス端末１２００の１つまたは複数の構成要素を制御するように構成され得る。
【００７５】
別の態様では、メモリ構成要素１２２０は、プロセッサ構成要素１２１０に結合され、プロセッサ構成要素１２１０によって実行されるコンピュータ可読命令を記憶するように構成される。メモリ構成要素１２２０はまた、構成構成要素１２３０、通信構成要素１２４０、および／または復号構成要素１２５０のいずれかによって生成されるデータを含む複数の他のタイプのデータのいずれかを記憶するように構成され得る。ここで、メモリ構成要素１２２０が基地局８００中のメモリ構成要素８２０に類似することに留意されたい。したがって、メモリ構成要素８２０の上述の特徴／構成のいずれかはまた、メモリ構成要素１２２０に適用可能であることを諒解されたい。
【００７６】
図示のように、ワイヤレス端末１２００はまた、構成構成要素１２３０と通信構成要素１２４０とを含み得る。そのような実施形態内では、構成構成要素１２３０は、復号方式を実装するようにユーザ機器を初期化するように構成され、通信構成要素１２４０は、制御シンボルのセットを受信するように構成される。この実施形態の場合、制御シンボルのセットは、制御リソースの第１のセットまたは制御リソースの第２のセットのうちの少なくとも１つを含む。
【００７７】
ワイヤレス端末１２００は、復号方式に基づいて指示または連結のうちの少なくとも１つを確認するように構成された復号構成要素１２５０をさらに含み得る。指示に関して、制御リソースの第１のセットに関連する第１の割振りサイズと、制御リソースの第２のセットに関連する第２の割振りサイズとを示すことに留意されたい。この目的で、復号構成要素１２５０は、物理ブロードキャストチャネル中に新たに導入されたビットのセットを介して第１の割振りサイズを確認するように構成され得ることに留意されたい。そのような実施形態内では、第１の割振りサイズは非レガシーユーザ機器（たとえば、ＬＴＥ−Ａ  ＵＥ、来るべきＵＥなど）に関連し得る。連結に関して、復号構成要素１２５０は、制御リソースの第１の部分と制御リソースの第２の部分との連結を復号するように構成され得、第１の部分は制御リソースの第１のセットに関連し、第２の部分は制御リソースの第２のセットに関連する。
【００７８】
図１３を参照すると、一実施形態による、制御信号を復号することを可能にするシステム１３００が示されている。たとえば、システム１３００、および／またはシステム１３００を実装するための命令は、ユーザ機器（たとえば、ワイヤレス端末１２００）内に、またはコンピュータ可読記憶媒体内に常駐することができる。図示のように、システム１３００はプロセッサ、ソフトウェア、またはそれらの組合せ（たとえば、ファームウェア）によって実装される機能を表すことができる機能ブロックを含む。システム１３００は、連携して動作することができる電気構成要素の論理グルーピング１３０２を含む。図示のように、論理グルーピング１３０２は、復号方式を実装するようにユーザ機器を構成するための電気構成要素１３１０を含むことができる。さらに、論理グルーピング１３０２は、制御リソースの第１のセットまたは制御リソースの第２のセットのうちの少なくとも１つを含む、制御シンボルのセットを受信するための電気構成要素１３１２を含むことができる。論理グルーピング１３０２はまた、制御リソースの第１の部分と制御リソースの第２の部分との連結を復号するために復号方式を実行するための電気構成要素１３１４を含むことができる。さらに、システム１３００は、電気構成要素１３１０、１３１２、および１３１４に関連する機能を実行するための命令を保持するメモリ１３２０を含むことができる。メモリ１３２０の外部にあるものとして図示されているが、電気構成要素１３１０、１３１２、および１３１４はメモリ１３２０の内部に存在することができることを理解されたい。
【００７９】
次に図１４を参照すると、一実施形態による、制御信号を復号することを可能にする別のシステム１４００が示されている。システム１４００、および／またはシステム１４００を実装するための命令はまた、たとえば、ユーザ機器（たとえば、ワイヤレス端末１２００）内に、またはコンピュータ可読記憶媒体内に常駐することができ、システム１４００は、プロセッサ、ソフトウェア、またはそれらの組合せ（たとえば、ファームウェア）によって実装される機能を表すことができる機能ブロックを含む。その上、システム１４００は、システム１３００中の論理グルーピング１３０２と同様に、連携して動作することができる電気構成要素の論理グルーピング１４０２を含む。図示のように、論理グルーピング１４０２は、復号方式を実装するようにユーザ機器を構成するための電気構成要素１４１０を含むことができる。さらに、論理グルーピング１４０２は、制御リソースの第１のセットまたは制御リソースの第２のセットのうちの少なくとも１つを含む、制御シンボルのセットを受信するための電気構成要素１４１２を含むことができる。論理グルーピング１４０２はまた、第１の割振りサイズまたは第２の割振りサイズのうちの少なくとも１つの指示を復号するために復号方式を実行するための電気構成要素１４１４を含むことができる。さらに、システム１４００は、電気構成要素１４１０、１４１２、および１４１４に関連する機能を実行するための命令を保持するメモリ１４２０を含むことができる。メモリ１４２０の外部にあるものとして図示されているが、電気構成要素１４１０、１４１２、および１４１４はメモリ１４２０の内部に存在することができることを理解されたい。
【００８０】
次に図１５を参照すると、制御信号を復号することを可能にする例示的な方法を示すフローチャートが与えられている。図示のように、プロセス１５００は、本明細書の一態様に従ってユーザ機器（たとえば、ワイヤレス端末１２００）の様々な構成要素によって実行され得る一連の行為を含む。プロセス１５００は、一連の行為を実装するためにコンピュータ可読記憶媒体に記憶されたコンピュータ実行可能命令を実行するために少なくとも１つのプロセッサを採用することによって実装され得る。別の実施形態では、少なくとも１つのコンピュータに、プロセス１５００の行為を実装させるためのコードを備えるコンピュータ可読記憶媒体が企図される。
【００８１】
一態様では、プロセス１５００は、行為１５１０において、ワイヤレス端末が、制御信号を復号するように構成されることで開始する。ここで、ワイヤレス端末が事前構成され、および／またはネットワークエンティティから受信された命令に従って動的に構成され得ることに留意されたい。構成されると、ワイヤレス端末は行為１５２０において受信された制御信号を処理し得る。
【００８２】
前述のように、ネットワークエンティティは、ＭＢＳＦＮベースバックホールリンクを介して中継器を動作させることを可能にするために、複数のアルゴリズムのいずれかを実装し得る。一態様では、行為１５１０におけるワイヤレス端末の構成は、ネットワークエンティティによって実装された特定のアルゴリズムにより、このアルゴリズムは、連結ベースのアルゴリズム、ならびに特に実装された指示方式に基づいて割振りサイズが示されるアルゴリズムを含み得る。したがって、行為１５３０において、プロセス１５００は、連結ベースのアルゴリズムが実装されたかどうかの判断を含み得る。
【００８３】
連結ベースのアルゴリズムが実際に実装された場合、プロセス１５００は行為１５４０に進み、特定の連結方式が確認される。次いで、行為１５５０において、この特定の連結方式が実装され、次いで、プロセス１５００は、行為１５６０において、連結方式に従って制御信号が復号されることで終わる。
【００８４】
ただし、行為１５３０において、連結ベースのアルゴリズムが実装されなかったと判断された場合、行為１５３５において、制御信号に関連する割振りサイズを判断することを可能にするために特定の指示ベースの方式が確認される。次いで、行為１５４５において、この特定の指示方式が実装され、次いで、プロセス１５００は、行為１５６０において、制御信号が指示方式に従って復号されることで終わる。
【００８５】
例示的な通信システム
次に図１６を参照すると、様々な態様に従って実装される、複数のセル、すなわちセルＩ１６０２、セルＭ１６０４を含む例示的な通信システム１６００が与えられている。ここで、セル境界領域１６６８によって示されるように、近隣セル１６０２、１６０４はわずかに重複し、それによって近隣セル中の基地局によって送信される信号間の信号干渉のためのポテンシャル（電位）を生成することに留意されたい。システム１６００の各セル１６０２、１６０４は、３つのセクタを含む。様々な態様によれば、複数のセクタに再分割されなかったセル（Ｎ＝１）、２つのセクタをもつセル（Ｎ＝２）、および３つ以上のセクタをもつセル（Ｎ＞３）も可能である。セル１６０２は、第１のセクタ、セクタＩ１６１０と、第２のセクタ、セクタＩＩ１６１２と、第３のセクタ、セクタＩＩＩ１６１４とを含む。各セクタ１６１０、１６１２、および１６１４は、２つのセクタ境界領域を有し、各境界領域は、２つの隣接するセクタ間で共有される。
【００８６】
セクタ境界領域は、近隣セクタ中の基地局によって送信される信号間の信号干渉のための電位を与える。線１６１６はセクタＩ１６１０とセクタＩＩ１６１２との間のセクタ境界領域を表し、線１６１８はセクタＩＩ１６１２とセクタＩＩＩ１６１４との間のセクタ境界領域を表し、線１６２０はセクタＩＩＩ１６１４とセクタＩ１６１０との間にセクタ境界領域を表す。同様に、セルＭ１６０４は、第１のセクタ、セクタＩ１６２２と、第２のセクタ、セクタＩＩ１６２４と、第３のセクタ、セクタＩＩＩ１６２６とを含む。線１６２８はセクタＩ１６２２とセクタＩＩ１６２４との間のセクタ境界領域を表し、線１６３０はセクタＩＩ１６２４とセクタＩＩＩ１６２６との間のセクタ境界領域を表し、線１６３２はセクタＩＩＩ１６２６とセクタＩ１６２２との間にセクタ境界領域を表す。セルＩ１６０２は、各セクタ１６１０、１６１２、１６１４中に基地局（ＢＳ）と、基地局Ｉ１６０６と、複数のエンドノード（ＥＮ）とを含む。セクタＩ１６１０は、ワイヤレスリンク１６４０、１６４２を介してＢＳ１６０６にそれぞれ結合されたＥＮ（１）１６３６とＥＮ（Ｘ）１６３８とを含み、セクタＩＩ１６１２は、ワイヤレスリンク１６４８、１６５０を介してＢＳ１６０６にそれぞれ結合されたＥＮ（１’）１６４４とＥＮ（Ｘ’）１６４６とを含み、セクタＩＩＩ１６１４は、ワイヤレスリンク１６５６、１６５８を介してＢＳ１６０６にそれぞれ結合されたＥＮ（１’’）１６５２とＥＮ（Ｘ’’）１６５４とを含む。同様に、セルＭ１６０４は、各セクタ１６２２、１６２４、および１６２６中に基地局Ｍ１６０８と複数のエンドノード（ＥＮ）とを含む。セクタＩ１６２２は、ワイヤレスリンク１６４０’、１６４２’を介してＢＳ  Ｍ１６０８にそれぞれ結合されたＥＮ（１）１６３６’とＥＮ（Ｘ）１６３８’とを含み、セクタＩＩ１６２４は、ワイヤレスリンク１６４８’、１６５０’を介してＢＳ  Ｍ１６０８にそれぞれ結合されたＥＮ（１’）１６４４’とＥＮ（Ｘ’）１６４６’とを含み、セクタＩＩＩ１６２６は、ワイヤレスリンク１６５６’、１６５８’を介してＢＳ１６０８にそれぞれ結合されたＥＮ（１’’）１６５２’とＥＮ（Ｘ’’）１６５４’とを含む。
【００８７】
システム１６００はまた、ネットワークリンク１６６２、１６６４を介してＢＳ  Ｉ１６０６とＢＳ  Ｍ１６０８とにそれぞれ結合されたネットワークノード１６６０を含む。ネットワークノード１６６０はまた、ネットワークリンク１６６６を介して、たとえば、他の基地局、ＡＡＡサーバノード、中間ノード、ルータなどの他のネットワークノードと、インターネットとに結合される。ネットワークリンク１６６２、１６６４、１６６６は、たとえば、光ファイバケーブルであり得る。各エンドノード、たとえば、ＥＮ１  １６３６は、送信機ならびに受信機を含むワイヤレス端末であり得る。ワイヤレス端末、たとえば、ＥＮ（１）１６３６は、システム１６００を移動することができ得、ＥＮが現在位置を特定されたセル中の基地局とワイヤレスリンクを介して通信し得る。ワイヤレス端末（ＷＴ）、たとえばＥＮ（１）１６３６は、基地局、たとえば、ＢＳ１６０６、および／またはネットワークノード１６６０を介して、ピアノード、たとえば、システム１６００中またはシステム１６００外の他のＷＴと通信し得る。ＷＴ、たとえば、ＥＮ（１）１６３６は、セルフォン、ワイヤレスモデムをもつ個人情報端末などのモバイル通信デバイスであり得る。それぞれの基地局は、トーンを割り振り、残りシンボル期間、たとえば、非ストリップシンボル期間中にトーンホッピングを判断するために採用される方法とは異なる、ストリップシンボル期間のための方法を使用してトーンサブセット割振りを実行する。ワイヤレス端末は、基地局から受信された情報、たとえば、基地局スロープＩＤ、セクタＩＤ情報とともにトーンサブセット割振り方法を使用して、それらが特定のストリップシンボル期間においてデータおよび情報を受信するために採用することができるトーンを判断する。トーンサブセット割振りシーケンスは、それぞれのトーン上のセクタ間干渉およびセル間干渉を拡散するために、様々な態様に従って構築される。主題システムについて主にセルラーモードのコンテキスト内で説明したが、本明細書で説明する態様によれば、複数のモードが利用可能であり、採用可能であり得ることを諒解されたい。
【００８８】
例示的な基地局
図１７は、様々な態様による例示的な基地局１７００を示している。基地局１７００は、トーンサブセット割振りシーケンスを実装し、異なるトーンサブセット割振りシーケンスは、セルのそれぞれの異なるセクタタイプに対して生成される。基地局１７００は、図１６のシステム１６００の基地局１６０６、１６０８のうちのいずれか１つとして使用され得る。基地局１７００は、バス１７０９によって互いに結合された、受信機１７０２と、送信機１７０４と、たとえば、ＣＰＵのプロセッサ１７０６と、入力／出力インターフェース１７０８と、メモリ１７１０とを含み、バス１７０９を介して、様々な要素１７０２、１７０４、１７０６、１７０８、および１７１０がデータおよび情報を交換し得る。
【００８９】
受信機１７０２に結合されたセクタ化されたアンテナ１７０３は、基地局のセル内の各セクタからのワイヤレス端末送信から、データおよび他の信号、たとえば、チャネル報告を受信するために使用される。送信機１７０４に結合されたセクタ化されたアンテナ１７０５は、基地局のセルの各セクタ内のワイヤレス端末１８００（図１８を参照）に、データおよび他の信号、たとえば、制御信号、パイロット信号、ビーコン信号などを送信するために使用される。様々な態様では、基地局１７００は、複数の受信機１７０２および複数の送信機１７０４、たとえば、各セクタの個々の受信機１７０２および各セクタの個々の送信機１７０４を採用し得る。プロセッサ１７０６は、たとえば、汎用中央処理ユニット（ＣＰＵ）であり得る。プロセッサ１７０６は、メモリ１７１０に記憶された１つまたは複数のルーチン１７１８の指示の下で基地局１７００の動作を制御し、方法を実装する。入出力インターフェース１７０８は、他のネットワークノードへの接続を与え、ＢＳ１７００を他の基地局、アクセスルータ、ＡＡＡサーバノードなど、他のネットワークとインターネットとに結合する。メモリ１７１０は、ルーチン１７１８とデータ／情報１７２０とを含む。
【００９０】
データ／情報１７２０は、データ１７３６と、ダウンリンクストリップシンボル時間情報１７４０およびダウンリンクトーン情報１７４２を含むトーンサブセット割振りシーケンス情報１７３８と、ＷＴ情報、すなわちＷＴ１情報１７４６およびＷＴ  Ｎ情報１７６０の複数のセットを含むワイヤレス端末（ＷＴ）データ／情報１７４４とを含む。ＷＴ情報の各セット、たとえば、ＷＴ１情報１７４６は、データ１７４８と、端末ＩＤ１７５０と、セクタＩＤ１７５２と、アップリンクチャネル情報１７５４と、ダウンリンクチャネル情報１７５６と、モード情報１７５８とを含む。
【００９１】
ルーチン１７１８は、通信ルーチン１７２２と基地局制御ルーチン１７２４とを含む。基地局制御ルーチン１７２４は、スケジューラモジュール１７２６と、ストリップシンボル期間のためのトーンサブセット割振りルーチン１７３０、シンボル期間の残り、たとえば、非ストリップシンボル期間のための他のダウンリンクトーン割振りホッピングルーチン１７３２、およびビーコンルーチン１７３４を含むシグナリングルーチン１７２８とを含む。
【００９２】
データ１７３６は、ＷＴへの送信より前に符号化するための送信機１７０４のエンコーダ１７１４に送信されることになる、送信すべきデータと、受信に続いて受信機１７０２のデコーダ１７１２を通して処理された、ＷＴから受信されたデータとを含む。ダウンリンクストリップシンボル時間情報１７４０は、スーパースロット、ビーコンスロット、およびウルトラスロット構造情報などのフレーム同期構造情報と、所与のシンボル期間がストリップシンボル期間であるかどうかを指定する情報、およびそうであれば、ストリップシンボル期間のインデックス、ならびにそのストリップシンボルが基地局によって使用されたトーンサブセット割振りシーケンスを切り捨てるべきリセットポイントであるかどうかを指定する情報とを含む。ダウンリンクトーン情報１７４２は、基地局１７００に割り当てられたキャリア周波数、トーンの数および周波数、およびストリップシンボル期間に割り振られたトーンサブセットのセットを含む情報と、スロープ、スロープインデックスおよびセクタタイプなどの他のセルおよびセクタ固有の値とを含む。
【００９３】
データ１７４８は、ＷＴ１  １８００がピアノードから受信したデータと、ＷＴ１  １８００がピアノードに送信されることを望むデータと、ダウンリンクチャネル品質報告フィードバック情報とを含み得る。端末ＩＤ１７５０は、ＷＴ１  １８００を識別する、基地局１７００によって割り当てられたＩＤである。セクタＩＤ１７５２は、ＷＴ１  １８００が動作しているセクタを識別する情報を含む。セクタＩＤ１７５２は、たとえば、セクタタイプを判断するために使用され得る。アップリンクチャネル情報１７５４は、ＷＴ１  １８００が使用するように、スケジューラ１７２６によって割り振られたチャネルセグメント、たとえば、データのためのアップリンクトラフィックチャネルセグメント、要求、電力制御、タイミング制御などのための専用アップリンク制御チャネルを識別する情報を含む。ＷＴ１  １８００に割り当てられた各アップリンクチャネルは、１つまたは複数の論理トーンを含み、各論理トーンはアップリンクホッピングシーケンスに続く。ダウンリンクチャネル情報１７５６は、データおよび／または情報をＷＴ１  １８００に搬送するようにスケジューラ１７２６によって割り振られたチャネルセグメント、たとえば、ユーザデータのためのダウンリンクトラフィックチャネルセグメントを識別する情報を含む。ＷＴ１  １８００に割り当てられた各ダウンリンクチャネルは１つまたは複数の論理トーンを含み、その各々はダウンリンクホッピングシーケンスに続く。モード情報１７５８は、ＷＴ１  １８００の動作の状態、たとえば、スリープ、ホールド、オンを識別する情報を含む。
【００９４】
通信ルーチン１７２２は、基地局１７００を、様々な通信動作を実行し、様々な通信プロトコルを実装するように制御する。基地局制御ルーチン１７２４は、基本基地局汎関数タスク、たとえば、信号発生および受信、スケジューリングを実行し、ストリップシンボル期間中にトーンサブセット割振りシーケンスを使用して信号をワイヤレス端末に送信することを含む、いくつかの態様の方法のステップを実装するように、基地局１７００を制御するために使用される。
【００９５】
シグナリングルーチン１７２８は、そのデコーダ１７１２をもつ受信機１７０２と、そのエンコーダ１７１４をもつ送信機１７０４との動作を制御する。シグナリングルーチン１７２８は、送信データ１７３６と制御情報との生成を制御することを受け持つ。トーンサブセット割振りルーチン１７３０は、本態様の方法を使用して、さらにダウンリンクストリップシンボル時間情報１７４０とセクタＩＤ１７５２とを含むデータ／情報１７２０を使用して、ストリップシンボル期間中に使用すべきトーンサブセットを構築する。ダウンリンクトーンサブセット割振りシーケンスは、セル中のセクタタイプごとに異なり、また、隣接するセルごとに異なる。ＷＴ１８００は、ダウンリンクトーンサブセット割振りシーケンスに従ってストリップシンボル期間中に信号を受信し、基地局１７００は、送信信号を発生するために、同じダウンリンクトーンサブセット割振りシーケンスを使用する。他のダウンリンクトーン割振りホッピングルーチン１７３２は、ストリップシンボル期間以外のシンボル期間のために、ダウンリンクトーン情報１７４２とダウンリンクチャネル情報１７５６とを含む情報を使用して、ダウンリンクトーンホッピングシーケンスを構築する。ダウンリンクデータトーンホッピングシーケンスは、セルのセクタにわたって同期させられる。ビーコンルーチン１７３４は、同期の目的のために、たとえば、ダウンリンク信号のフレームタイミング構造、したがってウルトラスロット境界に関するトーンサブセット割振りシーケンスを同期させるために使用され得るビーコン信号、たとえば、１つまたは数個のトーン上に集中される比較的高い電力信号の信号の送信を制御する。
【００９６】
例示的なワイヤレス端末
図１８は、図１６に示すシステム１６００のワイヤレス端末（エンドノード）のいずれか１つ、たとえば、ＥＮ（１）１６３６として使用できる例示的なワイヤレス端末（エンドノード）１８００を示している。ワイヤレス端末１８００はトーンサブセット割振りシーケンスを実装する。ワイヤレス端末１８００は、バス１８１０によって互いに結合された、デコーダ１８１２を含む受信機１８０２と、エンコーダ１８１４を含む送信機１８０４と、プロセッサ１８０６と、メモリ１８０８とを含み、バス１８１０を介して、様々な要素１８０２、１８０４、１８０６、１８０８がデータおよび情報を交換することができる。基地局（および／または異種ワイヤレス端末）から信号を受信するために使用されるアンテナ１８０３が、受信機１８０２に結合される。信号を、たとえば、基地局（および／または異種ワイヤレス端末）に送信するために使用されるアンテナ１８０５が、送信機１８０４に結合される。
【００９７】
プロセッサ１８０６、たとえば、ＣＰＵは、ワイヤレス端末１８００の動作を制御し、ルーチン１８２０を実行することと、メモリ１８０８中のデータ／情報１８２２を使用することとによって方法を実装する。
【００９８】
データ／情報１８２２は、ユーザデータ１８３４と、ユーザ情報１８３６と、トーンサブセット割振りシーケンス情報１８５０とを含む。ユーザデータ１８３４は、ピアノードを対象とする、送信機１８０４による基地局への送信より前に符号化するためのエンコーダ１８１４にルーティングされることになるデータと、受信機１８０２中のデコーダ１８１２によって処理された基地局から受信されたデータとを含み得る。ユーザ情報１８３６は、アップリンクチャネル情報１８３８と、ダウンリンクチャネル情報１８４０と、端末ＩＤ情報１８４２と、基地局ＩＤ情報１８４４と、セクタＩＤ情報１８４６と、モード情報１８４８とを含む。アップリンクチャネル情報１８３８は、基地局に送信するときにワイヤレス端末１８００が使用するように、基地局によって割り当てられたアップリンクチャネルセグメントを識別する情報を含む。アップリンクチャネルは、アップリンクトラフィックチャネル、専用アップリンク制御チャネル、たとえば、要求チャネル、電力制御チャネル、およびタイミング制御チャネルを含み得る。各アップリンクチャネルは１つまたは複数の論理トーンを含み、各論理トーンがアップリンクトーンホッピングシーケンスに続く。アップリンクホッピングシーケンスは、セルの各セクタタイプ間で異なり、隣接するセル間で異なる。ダウンリンクチャネル情報１８４０は、基地局がデータ／情報をＷＴ１８００に送信しているときに使用するために、基地局によってＷＴ１８００に割り当てられたダウンリンクチャネルセグメントを識別する情報を含む。ダウンリンクチャネルは、ダウンリンクトラフィックチャネルと割当てチャネルとを含み得、各ダウンリンクチャネルは１つまたは複数の論理トーンを含み、各論理トーンは、セルの各セクタ間で同期させられるダウンリンクホッピングシーケンスに続く。
【００９９】
また、ユーザ情報１８３６は、基地局によって割り当てられた識別情報である端末ＩＤ情報１８４２と、ＷＴが通信を確立した特定の基地局を識別する基地局ＩＤ情報１８４４と、ＷＴ１８００が現在位置を特定されたセルの特定のセクタを識別するセクタＩＤ情報１８４６とを含む。基地局ＩＤ１８４４はセルスロープ値を与え、セクタＩＤ情報１８４６はセクタインデックスタイプを与え、セルスロープ値およびセクタインデックスタイプは、トーンホッピングシーケンスを導出するために使用され得る。また、ユーザ情報１８３６中に含まれるモード情報１８４８は、ＷＴ１８００がスリープモード中か、ホールドモード中か、オンモード中かを識別する。
【０１００】
トーンサブセット割振りシーケンス情報１８５０は、ダウンリンクストリップシンボル時間情報１８５２とダウンリンクトーン情報１８５４と含む。ダウンリンクストリップシンボル時間情報１８５２は、スーパースロット、ビーコンスロット、およびウルトラスロット構造情報などのフレーム同期構造情報と、所与のシンボル期間がストリップシンボル期間であるかどうかを指定する情報、およびそうであれば、ストリップシンボル期間のインデックス、ならびにそのストリップシンボルが基地局によって使用されたトーンサブセット割振りシーケンスを切り捨てるべきリセットポイントであるかどうかを指定する情報とを含む。ダウンリンクトーン情報１８５４は、基地局に割り当てられたキャリア周波数、トーンの数および周波数、およびストリップシンボル期間に割り振られたトーンサブセットのセットを含む情報と、スロープ、スロープインデックスおよびセクタタイプなどの他のセルおよびセクタ固有の値とを含む。
【０１０１】
ルーチン１８２０は、通信ルーチン１８２４とワイヤレス端末制御ルーチン１８２６とを含む。通信ルーチン１８２４は、ＷＴ１８００によって使用される様々な通信プロトコルを制御する。ワイヤレス端末制御ルーチン１８２６は、受信機１８０２と送信機１８０４との制御を含む基本ワイヤレス端末１８００機能を制御する。ワイヤレス端末制御ルーチン１８２６はシグナリングルーチン１８２８を含む。シグナリングルーチン１８２８は、ストリップシンボル期間のためのトーンサブセット割振りルーチン１８３０と、シンボル期間の残り、たとえば、非ストリップシンボル期間のための他のダウンリンクトーン割振りホッピングルーチン１８３２とを含む。トーンサブセット割振りルーチン１８３０は、いくつかの態様に従ってダウンリンクトーンサブセット割振りシーケンスを生成し、基地局から送信された受信されたデータを処理するために、ダウンリンクチャネル情報１８４０と、基地局ＩＤ情報１８４４、たとえば、スロープインデックスおよびセクタタイプと、ダウンリンクトーン情報１８５４とを含むユーザデータ／情報１８２２を使用する。他のダウンリンクトーン割振りホッピングルーチン１８３０は、ストリップシンボル期間以外のシンボル期間のために、ダウンリンクトーン情報１８５４とダウンリンクチャネル情報１８４０とを含む情報を使用して、ダウンリンクトーンホッピングシーケンスを構築する。トーンサブセット割振りルーチン１８３０は、プロセッサ１８０６によって実行されたとき、いつ、およびどのトーン上で、ワイヤレス端末１８００が基地局１７００から１つまたは複数のストリップシンボル信号を受信することになるかを判断するために使用される。アップリンクトーン割振りホッピングルーチン１８３０は、それが送信すべきトーンを判断するために、基地局から受信された情報とともにトーンサブセット割振り機能を使用する。
【０１０２】
１つまたは複数の例示的な実施形態では、説明した機能は、ハードウェア、ソフトウェア、ファームウェア、またはそれらの任意の組合せで実装され得る。ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１０３】
実施形態がプログラムコードまたはコードセグメント中に実装されるとき、コードセグメントは、プロシージャ、関数、サブプログラム、プログラム、ルーチン、サブルーチン、モジュール、ソフトウェアパッケージ、クラス、あるいは命令、データ構造またはプログラムステートメントの任意の組合せを表すことができることを諒解されたい。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、適切な手段を使用してパス、フォワーディング、または送信され得る。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【０１０４】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され、その場合、当技術分野で知られているように様々な手段によってプロセッサに通信可能に結合され得る。
【０１０５】
ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装され得る。
【０１０６】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。
【０１０７】
本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために使用され得、あるいは、たとえば、状態の確率分布を生成することができる。推論は、確率的、すなわち、データおよび事象の考察に基づく当該の状態の確率分布の計算であり得る。推論は、事象および／またはデータのセットからより高いレベルの事象を構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【０１０８】
さらに、本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータであり得るが、これらに限定されない。例として、コンピューティングデバイス上で実行されるアプリケーションと、そのコンピューティングデバイスの両方を構成要素であり得る。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
以下、本願の出願当初の特許請求の範囲に記載の発明を付記する。  
［１］  マルチメディアブロードキャスト単一周波数ネットワークベースバックホールリンクを介して中継器を動作させることを可能にする方法であって、
サブフレーム内で制御リソースの第１のセットと制御リソースの第２のセットとを割り振ることと、
連結されたリソースのセットを形成するために制御リソースの第１の部分を制御リソースの第２の部分と連結することであって、制御リソースの前記第１の部分が制御リソースの前記第１のセットに関連し、制御リソースの前記第２の部分が制御リソースの前記第２のセットに関連する、連結することと、
連結されたリソースの前記セットのサブセットを使用して少なくとも１つの制御信号を送信することと
を備える方法。
［２］
制御リソースの前記第１のセットがレガシー制御領域内にあり、制御リソースの前記第２のセットが非レガシー制御領域内にある、［１］に記載の方法。
［３］  前記レガシー制御領域を時分割多重フォーマットで与えることをさらに備える、［２］に記載の方法。
［４］  前記レガシー制御領域が、最高２つの直交周波数分割多重シンボルを含む、［３］に記載の方法。
［５］  前記非レガシー制御領域を時分割多重フォーマットで与えることをさらに備える、［２］に記載の方法。
［６］  前記非レガシー制御領域を周波数分割多重フォーマットで与えることをさらに備える、［２］に記載の方法。
［７］  前記非レガシー制御領域を、周波数分割多重フォーマットと時分割多重フォーマットとを組み合わせたフォーマットで与えることをさらに備える、［２］に記載の方法。
［８］  前記少なくとも１つの制御信号が物理ハイブリッド自動再送要求インジケータチャネルである、［１］に記載の方法。
［９］  実際の物理アップリンク共有チャネル送信の最低物理リソースブロックに基づいて、連結されたリソースの前記セットの前記サブセット内で、前記実際の物理アップリンク共有チャネル送信のためのハイブリッド自動再送要求リソースを確認することをさらに備える、［８］に記載の方法。
［１０］  前記少なくとも１つの制御信号が物理ダウンリンク制御チャネルである、［１］に記載の方法。
［１１］  非レガシーユーザ機器に関連するアグリゲーションレベルのための連結されたリソースの前記セットの前記サブセット内で物理ダウンリンク制御チャネル復号候補のセットを確認することをさらに備え、前記連結することが前記アグリゲーションレベルに基づく、［１０］に記載の方法。
［１２］  非レガシーユーザに関連する物理ダウンリンク共有チャネル送信のための連結されたリソースの前記セットの前記サブセットに基づいて、ハイブリッド自動再送要求リソースを確認することをさらに備える、［１］に記載の方法。
［１３］  前記送信することが、第１の制御信号と第２の制御信号とを通信することを含み、前記第１の制御信号が少なくとも制御リソースの前記第１のセットを含み、前記第２の制御信号が制御リソースの前記第１のセットと制御リソースの前記第２のセットとを含む、［１］に記載の方法。
［１４］  前記第１の制御信号から制御リソースの前記第２のセットを除外することと、前記第１の制御信号をレガシーユーザ機器に通信することをさらに備える、［１３］に記載の方法。
［１５］  前記第２の制御信号を非レガシーユーザ機器に通信することをさらに備える、［１３］に記載の方法。
［１６］  前記第２の制御信号を中継ノードに通信することをさらに備える、［１３］に記載の方法。
［１７］  マルチメディアブロードキャスト単一周波数ネットワークベースバックホールリンクを介して中継器を動作させることを可能にするように構成された装置であって、
メモリに記憶されたコンピュータ実行可能構成要素を実行するように構成されたプロセッサを備え、前記構成要素が、
サブフレーム内で制御リソースの第１のセットと制御リソースの第２のセットとを割り振るように構成された割振り構成要素と、
連結されたリソースのセットを形成するために制御リソースの第１の部分を制御リソースの第２の部分と連結するように構成された連結構成要素であって、制御リソースの前記第１の部分が制御リソースの前記第１のセットに関連し、制御リソースの前記第２の部分が制御リソースの前記第２のセットに関連する、連結構成要素と、
少なくとも１つの制御信号を発生するように構成された発生構成要素であって、前記少なくとも１つの制御信号が、連結されたリソースの前記セットのサブセットを含む、発生構成要素と、
前記少なくとも１つの制御信号をダイレクトリンクユーザ機器または中継ノードのうちの少なくとも１つに通信するように構成された通信構成要素と
を備える、装置。
［１８］  制御リソースの前記第１のセットがレガシー制御領域内にあり、制御リソースの前記第２のセットが非レガシー制御領域内にある、［１７］に記載の装置。
［１９］  前記通信構成要素が、前記レガシー制御領域を時分割多重フォーマットで与えるように構成された、［１８］に記載の装置。
［２０］  前記レガシー制御領域が、最高２つの直交周波数分割多重シンボルを含む、［１９］に記載の装置。
［２１］  前記通信構成要素が、前記非レガシー制御領域を時分割多重フォーマットで与えるように構成された、［１８］に記載の装置。
［２２］  前記通信構成要素が、前記非レガシー制御領域を周波数分割多重フォーマットで与えるように構成された、［１８］に記載の装置。
［２３］  前記通信構成要素が、前記非レガシー制御領域を、周波数分割多重フォーマットと時分割多重フォーマットとを組み合わせたフォーマットで与えるように構成された、［１８］に記載の装置。
［２４］  前記少なくとも１つの制御信号が物理ハイブリッド自動再送要求インジケータチャネルである、［１７］に記載の装置。
［２５］  前記連結構成要素が、実際の物理アップリンク共有チャネル送信の最低物理リソースブロックに基づいて、連結されたリソースの前記セットの前記サブセット内で、前記実際の物理アップリンク共有チャネル送信のためのハイブリッド自動再送要求リソースを確認するようにさらに構成された、［２４］に記載の装置。
［２６］  前記少なくとも１つの制御信号が物理ダウンリンク制御チャネルである、［１７］に記載の装置。
［２７］  前記連結構成要素が、非レガシーユーザ機器に関連するアグリゲーションレベルのための連結されたリソースの前記セットの前記サブセット内で、物理ダウンリンク制御チャネル復号候補のセットを確認するようにさらに構成され、前記連結が前記アグリゲーションレベルに基づく、［２６］に記載の装置。
［２８］  前記連結構成要素が、非レガシーユーザに関連する物理ダウンリンク共有チャネル送信のための連結されたリソースの前記セットの前記サブセットに基づいて、ハイブリッド自動再送要求リソースを確認するようにさらに構成された、［１７］に記載の装置。
［２９］  前記通信構成要素が、第１の制御信号と第２の制御信号とを送信するようにさらに構成され、前記第１の制御信号が少なくとも制御リソースの前記第１のセットを含み、前記第２の制御信号が制御リソースの前記第１のセットと制御リソースの前記第２のセットとを含む、［１７］に記載の装置。
［３０］  前記発生構成要素が、前記第１の制御信号から制御リソースの前記第２のセットを除外するように構成され、前記通信構成要素が、前記第１の制御信号をレガシーユーザ機器に与えるように構成された、［２９］に記載の装置。
［３１］  前記通信構成要素が、前記第２の制御信号を非レガシーユーザ機器に送信するように構成された、［２９］に記載の装置。
［３２］  前記通信構成要素が、前記第２の制御信号を前記中継ノードに送信するように構成された、［２９］に記載の装置。
［３３］  マルチメディアブロードキャスト単一周波数ネットワークベースバックホールリンクを介して中継器を動作させることを可能にするコンピュータプログラム製品であって、
少なくとも１つのコンピュータに、
サブフレーム内で制御リソースの第１のセットと制御リソースの第２のセットとを割り振ることと、
連結されたリソースのセットを形成するために制御リソースの第１の部分と制御リソースの第２の部分との連結を実行することであって、制御リソースの前記第１の部分が制御リソースの前記第１のセットに関連し、制御リソースの前記第２の部分が制御リソースの前記第２のセットに関連する、実行することと、
連結されたリソースの前記セットのサブセットを使用して少なくとも１つの制御信号を通信することと、
を行わせるためのコードを備えるコンピュータ可読媒体
を備えるコンピュータプログラム製品。
［３４］  前記少なくとも１つの制御信号が物理ハイブリッド自動再送要求インジケータチャネルである、［３３］に記載のコンピュータプログラム製品。
［３５］  前記コードが、前記少なくとも１つのコンピュータに、実際の物理アップリンク共有チャネル送信の最低物理リソースブロックに基づいて、連結されたリソースの前記セットの前記サブセット内で、前記実際の物理アップリンク共有チャネル送信のためのハイブリッド自動再送要求リソースを確認することをさらに行わせる、［３４］に記載のコンピュータプログラム製品。
［３６］  前記少なくとも１つの制御信号が物理ダウンリンク制御チャネルである、［３３］に記載のコンピュータプログラム製品。
［３７］  前記コードが、前記少なくとも１つのコンピュータに、非レガシーユーザ機器に関連するアグリゲーションレベルのための連結されたリソースの前記セットの前記サブセット内で、物理ダウンリンク制御チャネル復号候補のセットを確認することをさらに行わせ、前記連結が前記アグリゲーションレベルに基づく、［３６］に記載のコンピュータプログラム製品。
［３８］  マルチメディアブロードキャスト単一周波数ネットワークベースバックホールリンクを介して中継器を動作させるように構成された装置であって、
サブフレーム内で制御リソースの第１のセットと制御リソースの第２のセットとを割り振るための手段と、
連結されたリソースのセットを形成するために制御リソースの第１の部分を制御リソースの第２の部分と連結するための手段であって、制御リソースの前記第１の部分が制御リソースの前記第１のセットに関連し、制御リソースの前記第２の部分が制御リソースの前記第２のセットに関連する、連結するための手段と、
連結されたリソースの前記セットのサブセットを使用して少なくとも１つの制御信号を送信するための手段と
を備える装置。
［３９］  送信するための前記手段が、第１の制御信号と第２の制御信号とを通信することを含み、前記第１の制御信号が少なくとも制御リソースの前記第１のセットを含み、前記第２の制御信号が制御リソースの前記第１のセットと制御リソースの前記第２のセットとを含む、［３８］に記載の装置。
［４０］  制御リソースの前記第２のセットが前記第１の制御信号から除外され、前記第１の制御信号がレガシーユーザ機器に通信される、［３９］に記載の装置。
［４１］  マルチメディアブロードキャスト単一周波数ネットワークベースバックホールリンクを介して中継器を動作させることを可能にする方法であって、
物理ハイブリッド自動再送要求インジケータチャネルに関連する制御リソースの第１のセットと制御リソースの第２のセットとを割り振ることと、
制御リソースの前記第１のセットに関連する第１の割振りサイズと、制御リソースの前記第２のセットに関連する第２の割振りサイズとの指示を可能にする指示方式を実装することと、
前記指示方式に従って少なくとも１つの制御信号を送信することと
を備える方法。
［４２］  前記第１の割振りサイズを示すことを可能にするために物理ブロードキャストチャネル中にビットの新しいセットを導入することをさらに備える、［４１］に記載の方法。
［４３］  前記指示方式が、物理ブロードキャストチャネルを介して前記第１の割振りサイズを示すことを備え、前記第２の割振りサイズが前記少なくとも１つの制御信号中にハードコーディングされる、［４１］に記載の方法。
［４４］  前記第１の割振りサイズが前記第２の割振りサイズに等しく、前記送信することが、前記物理ブロードキャストチャネルを介して前記指示を通信することを備える、［４１］に記載の方法。
［４５］  前記指示方式が、レイヤ３構成を介して前記第１の割振りサイズまたは前記第２の割振りサイズのうちの少なくとも１つを通信することを備える、［４１］に記載の方法。
［４６］  制御リソースの前記第１のセットがレガシー制御領域内にあり、制御リソースの前記第２のセットが非レガシー制御領域内にある、［４１］に記載の方法。
［４７］  前記レガシー制御領域を時分割多重フォーマットで与えることをさらに備える、［４６］に記載の方法。
［４８］  前記非レガシー制御領域を時分割多重フォーマットで与えることをさらに備える、［４６］に記載の方法。
［４９］  前記非レガシー制御領域を周波数分割多重フォーマットで与えることをさらに備える、［４６］に記載の方法。
［５０］  前記非レガシー制御領域を、周波数分割多重フォーマットと時分割多重フォーマットとを組み合わせたフォーマットで与えることをさらに備える、［４６］に記載の方法。
［５１］  前記送信することが、第１の制御信号と第２の制御信号とを通信することを含み、前記第１の制御信号が少なくとも制御リソースの前記第１のセットを含み、前記第２の制御信号が制御リソースの前記第１のセットと制御リソースの前記第２のセットとを含む、［４１］に記載の方法。
［５２］  前記第１の制御信号から制御リソースの前記第２のセットを除外することをさらに備え、前記第１の制御信号がレガシーユーザ機器に通信される、［５１］に記載の方法。
［５３］  前記第２の制御信号が非レガシーユーザ機器に通信される、［５１］に記載の方法。
［５４］  前記第２の制御信号が中継ノードに通信される、［５１］に記載の方法。
［５５］  マルチメディアブロードキャスト単一周波数ネットワークベースバックホールリンクを介して中継器を動作させることを可能にするように構成された装置であって、
メモリに記憶されたコンピュータ実行可能構成要素を実行するように構成されたプロセッサを備え、前記構成要素が、
物理ハイブリッド自動再送要求インジケータチャネルに関連する制御リソースの第１のセットと制御リソースの第２のセットとを割り振るように構成された割振り構成要素と、
制御リソースの前記第１のセットに関連する第１の割振りサイズと、制御リソースの前記第２のセットに関連する第２の割振りサイズとの指示を与えるように構成されたインジケータ構成要素と、
少なくとも１つの制御信号を発生するように構成された発生構成要素であって、前記少なくとも１つの制御信号が前記指示を含む、発生構成要素と、
前記少なくとも１つの制御信号を送信するように構成された通信構成要素と
を備える、装置。
［５６］  前記インジケータ構成要素が、前記第１の割振りサイズを示す、物理ブロードキャストチャネル中にビットの新しいセットを導入するようにさらに構成された、［５５］に記載の装置。
［５７］  前記インジケータ構成要素が、物理ブロードキャストチャネルを介して前記第１の割振りサイズを示し、前記第２の割振りサイズを前記少なくとも１つの制御信号中にハードコーディングするようにさらに構成された、［５５］に記載の装置。
［５８］  前記インジケータ構成要素が、前記第１の割振りサイズを前記第２の割振りサイズに等しくするようにさらに構成され、前記指示が、物理ブロードキャストチャネルを介して通信される、［５５］に記載の装置。
［５９］  前記インジケータ構成要素が、レイヤ３構成を介して前記第１の割振りサイズまたは前記第２の割振りサイズのうちの少なくとも１つを通信するようにさらに構成された、［５５］に記載の装置。
［６０］  制御リソースの前記第１のセットがレガシー制御領域内にあり、制御リソースの前記第２のセットが非レガシー制御領域内にある、［５５］に記載の装置。
［６１］  前記通信構成要素が、前記レガシー制御領域を時分割多重フォーマットで与えるように構成された、［６０］に記載の装置。
［６２］  前記通信構成要素が、前記非レガシー制御領域を時分割多重フォーマットで与えるように構成された、［６０］に記載の装置。
［６３］  前記通信構成要素が、前記非レガシー制御領域を周波数分割多重フォーマットで与えるように構成された、［６０］に記載の装置。
［６４］  前記通信構成要素が、前記非レガシー制御領域を、周波数分割多重フォーマットと時分割多重フォーマットとを組み合わせたフォーマットで与えるように構成された、［６０］に記載の装置。
［６５］  前記通信構成要素が、第１の制御信号と第２の制御信号とを送信するようにさらに構成され、前記第１の制御信号が少なくとも制御リソースの前記第１のセットを含み、前記第２の制御信号が制御リソースの前記第１のセットと制御リソースの前記第２のセットとを含む、［５５］に記載の装置。
［６６］  前記発生構成要素が、前記第１の制御信号から制御リソースの前記第２のセットを除外するように構成され、前記通信構成要素が、前記第１の制御信号をレガシーユーザ機器に与えるように構成された、［６５］に記載の装置。
［６７］  前記通信構成要素が、前記第２の制御信号を非レガシーユーザ機器に与えるように構成された、［６５］に記載の装置。
［６８］  前記通信構成要素が、前記第２の制御信号を前記中継ノードに与えるように構成された、［６５］に記載の装置。
［６９］  マルチメディアブロードキャスト単一周波数ネットワークベースバックホールリンクを介して中継器を動作させることを可能にするコンピュータプログラム製品であって、
少なくとも１つのコンピュータに、
物理ハイブリッド自動再送要求インジケータチャネルに関連する制御リソースの第１のセットと制御リソースの第２のセットとを割り振ることと、
制御リソースの前記第１のセットに関連する第１の割振りサイズと、制御リソースの前記第２のセットに関連する第２の割振りサイズとの指示を与えることと、
少なくとも１つの制御信号を送信することであって、前記少なくとも１つの制御信号が前記指示を含む、送信することと
を行わせるためのコードを備えるコンピュータ可読媒体
を備えるコンピュータプログラム製品。
［７０］  前記コードが、前記少なくとも１つのコンピュータに、前記第１の割振りサイズを示すことを可能にするために物理ブロードキャストチャネル中にビットの新しいセットを導入することをさらに行わせる、［６９］に記載のコンピュータプログラム製品。
［７１］  前記コードが、前記少なくとも１つのコンピュータに、物理ブロードキャストチャネルを介して前記第１の割振りサイズを示し、前記第２の割振りサイズを前記少なくとも１つの制御信号中にハードコーディングすることをさらに行わせる、［６９］に記載のコンピュータプログラム製品。
［７２］  マルチメディアブロードキャスト単一周波数ネットワークベースバックホールリンクを介して中継器を動作させることを可能にするように構成された装置であって、
物理ハイブリッド自動再送要求インジケータチャネルに関連する制御リソースの第１のセットと制御リソースの第２のセットとを割り振るための手段と、
制御リソースの前記第１のセットに関連する第１の割振りサイズと、制御リソースの前記第２のセットに関連する第２の割振りサイズとの指示を与えるための手段と、
少なくとも１つの制御信号を通信するための手段であって、前記少なくとも１つの制御信号が前記指示を含む、通信するための手段と
を備える装置。
［７３］  前記指示を与えるための前記手段が、前記第１の割振りサイズを前記第２の割振りサイズに等しくするようにさらに構成され、前記指示が、物理ブロードキャストチャネルを介して通信される、［７２］に記載の装置。
［７４］  前記指示を与えるための前記手段が、レイヤ３構成を介して前記第１の割振りサイズまたは前記第２の割振りサイズのうちの少なくとも１つを通信するようにさらに構成された、［７２］に記載の装置。
［７５］  制御信号を復号することを可能にする方法であって、
復号方式を実装するようにユーザ機器を構成することと、
制御シンボルのセットを受信することであって、制御シンボルの前記セットが、制御リソースの第１のセットまたは制御リソースの第２のセットのうちの少なくとも１つを含む、受信することと、
連結または指示のうちの少なくとも１つを復号するために前記復号方式を実行することであって、前記連結が、制御リソースの第１の部分を制御リソースの第２の部分と連結し、制御リソースの前記第１のセットが制御リソースの前記第１の部分に関連し、制御リソースの前記第２の部分が制御リソースの前記第２のセットに関連し、前記指示が、制御リソースの前記第１のセットに関連する第１の割振りサイズと、制御リソースの前記第２のセットに関連する第２の割振りサイズとを示す、実行することと
を備える方法。
［７６］  物理ブロードキャストチャネル中の新たに導入されたビットのセットを介して前記第１の割振りサイズを復号することをさらに備え、前記第１の割振りサイズが非レガシーユーザ機器に関連する、［７５］に記載の方法。
［７７］  制御シンボルの前記セットが物理ハイブリッド自動再送要求インジケータチャネルに関連する、［７５］に記載の方法。
［７８］  制御シンボルの前記セットが物理ダウンリンク制御チャネルに関連する、［７５］に記載の方法。
［７９］  制御信号を復号することを可能にするように構成された装置であって、
メモリに記憶されたコンピュータ実行可能構成要素を実行するように構成されたプロセッサを備え、前記構成要素が、
復号方式を実装するようにユーザ機器を初期化するように構成された構成構成要素と、
制御シンボルのセットを受信するように構成された通信構成要素であって、制御シンボルの前記セットが、制御リソースの第１のセットまたは制御リソースの第２のセットのうちの少なくとも１つを含む、通信構成要素と、
前記復号方式に基づいて連結または指示のうちの少なくとも１つを確認するように構成された復号構成要素であって、前記連結が、制御リソースの第１の部分を制御リソースの第２の部分と連結し、制御リソースの前記第１のセットが制御リソースの前記第１の部分に関連し、制御リソースの前記第２の部分が制御リソースの前記第２のセットに関連し、前記指示が、制御リソースの前記第１のセットに関連する第１の割振りサイズと、制御リソースの前記第２のセットに関連する第２の割振りサイズとを示す、復号構成要素と
を備える、装置。
［８０］  前記復号構成要素が、物理ブロードキャストチャネル中の新たに導入されたビットのセットを介して前記第１の割振りサイズを確認するように構成され、前記第１の割振りサイズが非レガシーユーザ機器に関連する、［７９］に記載の装置。
［８１］  制御シンボルの前記セットが物理ハイブリッド自動再送要求インジケータチャネルに関連する、［７９］に記載の装置。
［８２］  制御シンボルの前記セットが物理ダウンリンク制御チャネルに関連する、［７９］に記載の装置。
［８３］  制御信号を復号することを可能にするコンピュータプログラム製品であって、
少なくとも１つのコンピュータに、
復号方式を実装するようにユーザ機器を構成することと、
制御シンボルのセットを受信することであって、制御シンボルの前記セットが、制御リソースの第１のセットまたは制御リソースの第２のセットのうちの少なくとも１つを含む、受信することと、
前記復号方式に基づいて連結または指示のうちの少なくとも１つを確認することであって、前記連結が、制御リソースの第１の部分を制御リソースの第２の部分と連結し、制御リソースの前記第１のセットが制御リソースの前記第１の部分に関連し、制御リソースの前記第２の部分が制御リソースの前記第２のセットに関連し、前記指示が、制御リソースの前記第１のセットに関連する第１の割振りサイズと、制御リソースの前記第２のセットに関連する第２の割振りサイズとを示す、確認することと
を行わせるためのコードを備えるコンピュータ可読記憶媒
を備えるコンピュータプログラム製品。
［８４］  前記コードが、前記少なくとも１つのコンピュータに、物理ブロードキャストチャネル中の新たに導入されたビットのセットを介して前記第１の割振りサイズを確認することをさらに行わせ、前記第１の割振りサイズが非レガシーユーザ機器に関連する、［８３］に記載のコンピュータプログラム製品。
［８５］  制御シンボルの前記セットが物理ハイブリッド自動再送要求インジケータチャネルに関連する、［８３］に記載のコンピュータプログラム製品。
［８６］  制御信号を復号することを可能にするように構成された装置であって、
復号方式を実装するようにユーザ機器を構成するための手段と、
制御シンボルのセットを受信するための手段であって、制御シンボルの前記セットが、制御リソースの第１のセットまたは制御リソースの第２のセットのうちの少なくとも１つを含む、受信するための手段と、
前記復号方式に従って連結または指示のうちの少なくとも１つを判断するための手段であって、前記連結が、制御リソースの第１の部分を制御リソースの第２の部分と連結し、制御リソースの前記第１のセットが制御リソースの前記第１の部分に関連し、制御リソースの前記第２の部分が制御リソースの前記第２のセットに関連し、前記指示が、制御リソースの前記第１のセットに関連する第１の割振りサイズと、制御リソースの前記第２のセットに関連する第２の割振りサイズとを示す、判断するための手段と
を備える装置。
［８７］  制御シンボルの前記セットが物理ダウンリンク制御チャネルに関連する、［８０］に記載の装置。
【図１】
0005826743.tif 000002
【図２】
0005826743.tif 000003
【図３】
0005826743.tif 000004
【図４】
0005826743.tif 000005
【図５】
0005826743.tif 000006
【図６】
0005826743.tif 000007
【図７】
0005826743.tif 000008
【図８】
0005826743.tif 000009
【図９】
0005826743.tif 000010
【図１０】
0005826743.tif 000011
【図１１】
0005826743.tif 000012
【図１２】
0005826743.tif 000013
【図１３】
0005826743.tif 000014
【図１４】
0005826743.tif 000015
【図１５】
0005826743.tif 000016
【図１６】
0005826743.tif 000017
【図１７】
0005826743.tif 000018
【図１８】
0005826743.tif 000019